(57)【要約】  本開示は、無線通信に用いられる電子デバイス、方法及びコンピュータに読取可能な記憶媒体を提供した。当該電子デバイスは、サイドリンクにおける可用コンポーネントキャリアの関連パラメータが所定の条件を満たしているか否かを判断し、当該関連パラメータが所定の条件を満たしている場合に、可用コンポーネントキャリアをサイドリンクにおけるキャリアアグリゲーションに用いられるセカンダリキャリアとして配置するように配置される処理回路を備える。【選択図】図４
2020530226.tif 000002
【特許請求の範囲】
【請求項１】
無線通信に用いられる電子デバイスであって、
サイドリンクにおける可用コンポーネントキャリアの関連パラメータが所定の条件を満たすか否かを判断し、
前記関連パラメータが前記所定の条件を満たしている場合に、前記可用コンポーネントキャリアをサイドリンクにおけるキャリアアグリゲーションに用いられるセカンダリキャリアとして配置する
ように配置される処理回路を備える電子デバイス。
【請求項２】
前記処理回路は、更に、可用コンポーネントキャリアのそれぞれの関連パラメータに基づいて前記サイドリンクにおけるキャリアアグリゲーションに用いられるプライマリキャリアを確定するように配置される、請求項１に記載の電子デバイス。
【請求項３】
前記可用コンポーネントキャリアの関連パラメータは、対応可用コンポーネントキャリアの通信品質を示すパラメータを含む、請求項１に記載の電子デバイス。
【請求項４】
対応可用コンポーネントキャリアの通信品質を示す前記パラメータは、対応コンポーネントキャリアにおける信号強度の情報を含む、請求項３に記載の電子デバイス。
【請求項５】
前記所定の条件は、前記対応コンポーネントキャリアにおける信号強度が所定の閾値よりも低いことを含む、請求項４に記載の電子デバイス。
【請求項６】
前記可用コンポーネントキャリアの関連パラメータは、更に、対応可用コンポーネントキャリアの安定性を示すパラメータを含む、請求項３に記載の電子デバイス。
【請求項７】
対応可用コンポーネントキャリアの安定性を示すパラメータは、対応可用コンポーネントキャリアがニーズに応じる通信品質でキャリアアグリゲーション通信を実行可能な推定時間を含む、請求項６に記載の電子デバイス。
【請求項８】
前記推定時間は、前記電子デバイスに対応するネットワークノードの移動速度、地理位置、送受信リンク占用率、前記可用コンポーネントキャリアのキャリアカバーエリア、キャリア信号強度のうちの少なくとも一つに基いて確定される、請求項７に記載の電子デバイス。
【請求項９】
前記電子デバイスが前記サイドリンクの一方側の第一ネットワークノードに用いられ、前記処理回路は、前記サイドリンクの他方側の第二ネットワークノードと連携して前記キャリアアグリゲーションを実行するように配置される、請求項１に記載の電子デバイス。
【請求項１０】
前記処理回路は、前記第一ネットワークノードと前記第二ネットワークノードとの間に対応ネットワークノードの基本情報を共有し、少なくとも前記基本情報に基づいて前記キャリアアグリゲーションを実行するか否かを確定するように配置されており、前記基本情報は、ネットワークノードのタイプ、ネットワークノードの移動速度、ネットワークノードの地理位置、ネットワークノードの能力、ネットワークノード送受信リンク状態、送受信リンク占用状態のうちの一つ又は複数を含む、請求項９に記載の電子デバイス。
【請求項１１】
前記処理回路は、更に、共有されたネットワークノードの基本情報に基づいて前記第一ネットワークノードによるキャリアアグリゲーションにおける関連の策略操作を確定し、前記第二ネットワークノードと連携して一致に達するように配置される、請求項１０に記載の電子デバイス。
【請求項１２】
前記処理回路は、更に、共有されたネットワークノードの基本情報に基づいて前記第一ネットワークノードと前記第二ネットワークノードが実行する、可用コンポーネントキャリアに対する測定操作を配置し、対応ネットワークノードにより測定された可用コンポーネントキャリアの関連パラメータを取得するように配置される、請求項１１に記載の電子デバイス。
【請求項１３】
前記処理回路は、前記第一ネットワークノード及び前記第二ネットワークノードのそれぞれを、前記基本情報に基づいて確定された一定比例の可用コンポーネントキャリアに対して周期的な測定を行って前記可用コンポーネントキャリアの関連パラメータを取得するように指示し、前記第二ネットワークノードから測定結果を取得するように配置される、請求項１２に記載の電子デバイス。
【請求項１４】
前記第二ネットワークノードの測定結果は、所定のイベントのトリガ条件が満たされている場合に前記処理回路へ提供される、請求項１３に記載の電子デバイス。
【請求項１５】
前記処理回路は、更に、前記第一ネットワークノードと前記第二ネットワークノードをそれぞれの負荷を周期的な測定を行うように指示し、前記第一ネットワークノードと前記第二ネットワークノードの負荷の測定結果に基づいてセカンダリキャリアのアクテイブ又はディアクテイブを実行するように配置される、請求項１１に記載の電子デバイス。
【請求項１６】
前記処理回路は、前記第一ネットワークノードと第二ネットワークノードの負荷が何れも所定の閾値を超え、前記第一ネットワークノードと第二ネットワークノードとのうち特定のネットワークノードの負荷が所定の閾値を超え、前記第一ネットワークノードと第二ネットワークノードの何れか一つの負荷が所定の閾値を超える条件のうちの何れか一つを満たす場合に、セカンダリキャリアのアクテイブを実行するように配置される、請求項１５に記載の電子デバイス。
【請求項１７】
前記処理回路は、更に、セカンダリキャリアのアクテイブ又はディアクテイブについての指示情報を生成して前記第二ネットワークノードへ通知するように配置される、請求項１５に記載の電子デバイス。
【請求項１８】
前記処理回路は、更に、キャリアアグリゲーションに用いられるプライマリキャリアとセカンダリキャリアについての関連情報を生成して他のネットワークノードにブロードキャストするように配置される、請求項１に記載の電子デバイス。
【請求項１９】
前記関連情報は、システム情報ブロックで物理サイドリンクのブロードキャストチャンネルにおいてブロードキャストされ、前記関連情報は、プライマリキャリアとセカンダリキャリアのキャリア周波数、キャリアシーケンス番号、同期情報、リソースプール配属、優先順位のうちの一つ又は複数を含む、請求項１８に記載の電子デバイス。
【請求項２０】
前記処理回路は、更に、他のネットワークノードからのキャリアアグリゲーションに用いられるプライマリキャリア及びセカンダリキャリアについてのブロードキャスト情報に基づいて、キャリアアグリゲーション又はキャリアアグリゲーションを行うか否かの具体的な方式を確定するように配置される、請求項１に記載の電子デバイス。
【請求項２１】
前記処理回路は、前記可用コンポーネントキャリアの測定結果に基づいて第一ネットワークノードと第二ネットワークノードのそれぞれに対して異なるプライマリキャリアを確定するように配置される、請求項１２に記載の電子デバイス。
【請求項２２】
前記処理回路は、可用コンポーネントキャリアの関連パラメータを測定し、測定結果をネットワークコントローラノードに提供し、及び前記ネットワークコントローラノードから前記測定結果に基づいて選択されたプライマリキャリアの情報を取得するように配置される、請求項１に記載の電子デバイス。
【請求項２３】
前記処理回路は、更に、可用コンポーネントキャリアの関連パラメータに対して周期的な測定を行って前記判断及びセカンダリキャリアの配置を行うように配置される、請求項２２に記載の電子デバイス。
【請求項２４】
前記処理回路は、更に、前記ネットワークコントローラノードが前記キャリアアグリゲーションを行うか否かを判断するように、前記ネットワークコントローラノードへネットワークノードの基本情報及び負荷測定結果を提供するように配置される、請求項２２に記載の電子デバイス。
【請求項２５】
前記プライマリキャリアに用いられるリソースプールと前記セカンダリキャリアに用いられるリソースプールは、互いに同一であるように設置される、請求項２２に記載の電子デバイス。
【請求項２６】
前記処理回路は、前記プライマリキャリアとして選択されたコンポーネントキャリア及び前記セカンダリキャリアとして配置されたコンポーネントキャリアに対して標識を行うように配置される、請求項２２に記載の電子デバイス。
【請求項２７】
前記処理回路は、更に、前記第一ネットワークノードと前記第二ネットワークノードがネットワークコントローラノードのカバーエリア内に移動したか否かを判断し、肯定の場合に、前記キャリアアグリゲーションにおける関連の策略操作を前記ネットワークコントローラノードへ移転するか否かについて前記第二ネットワークノードと協議し、否定の場合に現在のキャリアアグリゲーション操作を継続するように配置される、請求項１１に記載の電子デバイス。
【請求項２８】
前記処理回路は、前記キャリアアグリゲーションにおける関連の策略操作を前記ネットワークコントローラノードへ移転する場合に、前記第一ネットワークノードと前記第二ネットワークノードの基本情報とキャリア使用状況情報、及び現在のキャリアアグリゲーションの状態情報を前記ネットワークコントローラノードへ提供する、請求項２７に記載の電子デバイス。
【請求項２９】
前記電子デバイスは、前記サイドリンクの一方側の第一ネットワークノードに用いられ、前記処理回路は、更に、前記第一ネットワークノードと前記サイドリンクの他方側の第二ネットワークノードがネットワークコントローラノードのカバーエリア外に移動したかを判断し、肯定の場合に、前記第二ネットワークノードと連携して前記キャリアアグリゲーションを実行するように配置される、請求項２２に記載の電子デバイス。
【請求項３０】
少なくとも一部の可用コンポーネントキャリアはアンライセンスバンドに位置し、前記処理回路は、アンライセンスバンドにおけるスペクトルセンシングにより前記少なくとも一部の可用コンポーネントキャリアを測定するように配置される、請求項１に記載の電子デバイス。
【請求項３１】
前記キャリアアグリゲーションに用いられるプライマリキャリア及び／又はセカンダリキャリアの少なくとも一部は、ミリ波で伝送される、請求項１に記載の電子デバイス。
【請求項３２】
無線通信に用いられる方法であって、
サイドリンクにおける可用コンポーネントキャリアの関連パラメータが所定の条件を満たしているか否かを判断し、
前記関連パラメータが前記所定の条件を満たしている場合に、前記可用コンポーネントキャリアをサイドリンクにおけるキャリアアグリゲーションに用いられるセカンダリキャリアとして配置する、ことを含む方法。
【請求項３３】
コンピュータに実行可能なコマンドを含み、
前記コンピュータに実行可能なコマンドがプロセッサにより実行されると、請求項３２に記載の方法を実行させるコンピュータに読取可能な記憶媒体。
【発明の詳細な説明】
【技術分野】
【０００１】
本願は、２０１７年８月１０日に中国特許庁に提出され、出願番号が２０１７１０６８０２５８．４、発明名称が「無線通信用電子デバイス及び方法、記憶媒体」の中国特許出願の優先権を要求し、その全ての内容を本願に援用する。
【０００２】
本発明の実施例は主に無線通信分野に関し、具体的にキャリアアグリゲーション（Ｃａｒｒｉｅｒ  Ａｇｇｒｅｇａｔｉｏｎ，  ＣＡ）に用いられる技術に関し、更に具体的に無線通信に用いられる電子デバイス、方法及びコンピュータに読取可能な記憶媒体に関する。
【背景技術】
【０００３】
キャリアアグリゲーションにおいて、より広い伝送バンド幅をサポートするように二つ又はそれ以上のコンポーネントキャリア（Ｃｏｍｐｏｎｅｎｔ  Ｃａｒｒｉｅｒ、ＣＣ）がアグリゲーションされる。ネットワークノード、例えばユーザデバイス（Ｕｓｅｒ  Ｅｑｕｉｐｍｅｎｔ、ＵＥ）は、一つ又は複数のコンポーネントキャリアにおいて受信又は送信を同時に実行することができる。なお、アグリゲーションされた複数のコンポーネントキャリアは、周波数領域において連続されても良く、連続されなくても良い。アグリゲーションされたコンポーネントキャリアには、プライマリコンポーネントキャリア（Ｐｒｉｍａｒｙ  Ｃｏｍｐｏｎｅｎｔ  Ｃａｒｒｉｅｒ、ＰＣＣ、以下でプライマリキャリアとも略称される）とセカンダリコンポーネントキャリア（Ｓｅｃｏｎｄａｒｙ  Ｃｏｍｐｏｎｅｎｔ  Ｃａｒｒｉｅｒ、ＳＣＣ、以下でセカンダリキャリアとも略称される）とを備える。ＰＣＣは、例えば初期リンクの構築と再構築に使用可能である。ＳＣＣは、付加の無線リソースの提供に使用可能であり、配置及びアクテイブがなされることが可能である。
【０００４】
一方、サイドリンク（ｓｉｄｅｌｉｎｋ）は、ネットワークノードの間に直接通信を行うリンクであり、例えばＤ２Ｄ通信、Ｖ２Ｖ通信などがある。サイドリンクによる通信は、ネットワークコントローラノードの参加がなくても良い。幾つかの場合に、サイドリンクにより通信するネットワークノードは、ネットワークコントローラノードのカバーエリア外に位置しているため、ネットワークコントローラノードからのコマンドを確実に受信することができない恐れがある。この場合に、これらのネットワークノードは自律的な通信状態にある。
【発明の概要】
【０００５】
本開示に関するいくつかの態様の基本的な理解を提供するように、本発明に関する簡単な概説を以下に示す。しかしながら、この概説が本開示に関する網羅的な概説ではないと理解すべきである。それは、本開示の肝心又は重要部分を確定することを意図するものではなく、本開示の範囲を限定することを意図するものでもない。その目的は、後述するより詳細な説明の前置きとして、本開示に関するいくつかの概念を簡略化された形で提示することである。
【０００６】
本願の一局面によれば、サイドリンクにおける可用コンポーネントキャリアの関連パラメータが所定の条件を満たしているか否かを判断し、当該関連パラメータが所定の条件を満たしている場合に、可用コンポーネントキャリアをサイドリンクにおけるキャリアアグリゲーションに用いられるセカンダリキャリアとして配置するように配置される処理回路を備える、無線通信に用いられる電子デバイスを提供した。
【０００７】
本願の他の局面によれば、サイドリンクにおける可用コンポーネントキャリアの関連パラメータが所定の条件を満たしているか否かを判断し、当該関連パラメータが所定の条件を満たしている場合に、可用コンポーネントキャリアをサイドリンクにおけるキャリアアグリゲーションに用いられるセカンダリキャリアとして配置することを含む、無線通信に用いられる方法を提供した。
【０００８】
本願における無線通信に用いられる電子デバイス及び方法によれば、サイドリンクにおけるキャリアアグリゲーションに用いられるセカンダリキャリアの配置を実現することができ、サイドリンクにおけるキャリアアグリゲーションに対する柔軟な実現手段を提供した。
【０００９】
本願の他の局面によれば、更に、前記方法を実現するためのコンピュータプログラムコード、コンピュータプログラム製品、及び前記方法を実現するための当該コンピュータプログラムコードが記録されているコンピュータに読取可能な記憶媒体を提供した。
【００１０】
以下で図面と合わせて本願の好適な実施例を詳しく説明することにより、本願の前記及び他の利点はより明確になる。
【図面の簡単な説明】
【００１１】
本発明の前記及び他の利点及び特徴を更に説明するために、以下で図面と合わせて本発明の具体的な実施方式を更に詳しく説明する。前記図面及び以下の詳細説明はともに本明細書に含まれて本明細書の一部を形成する。同じ機能と構成を具備する素子は同一の符号で示される。理解すべきなのは、これらの図面は、本発明の典型的な例示に対する説明に過ぎず、本発明の範囲に対する限定ではない。図面において、
【００１２】
【図１】ｓｉｄｅｌｉｎｋシナリオとなるＶ２Ｖ通信シナリオの一例を示した。
【図２】ｓｉｄｅｌｉｎｋシナリオとなるＶ２Ｖ通信シナリオの他の例示を示した。
【図３】異なるキャリアカバーエリアの間にユーザが頻繁に切替える模式図を示した。
【図４】本願の一実施例による無線通信に用いられる電子デバイスの機能モジュールのブロック図を示した。
【図５】本願の一実施例による無線通信に用いられる電子デバイスの機能モジュールのブロック図を示した。
【図６】図１に示されたシナリオに基地局がＰＣＣ選択を行う例示における、基地局とユーザとの間の情報フローの模式図を示した。
【図７】図１又は図２に示されたシナリオにユーザがＰＣＣ選択を行う例示における、ユーザ同士の間の情報フローの模式図を示した。
【図８】図１又は図２に示されたシナリオにユーザがＳＣＣ配置を行う例示における、ユーザ同士の間の情報フローの模式図を示した。
【図９】在図１又は図２に示されたシナリオにユーザがＳＣＣアクテイブを行う例示における、ユーザ同士の間の情報フローの模式図を示した。
【図１０】基地局スケジューリングモードにおけるＳＣＣの配置の情報フローの一例を示した。
【図１１】基地局スケジューリングモードにおけるＳＣＣの配置の情報フローの他の例示を示した。
【図１２】基地局スケジューリングモードにおけるＳＣＣのアクテイブの情報フローの一例を示した。
【図１３】ＯＣＣ（Ｏｕｔ−ｏｆ−ｃｏｖｅｒａｇｅ）シナリオからＩＣ（Ｉｎ−ｃｏｖｅｒａｇｅ）シナリオへの切り替えの模式図を示した。
【図１４】ＩＣシナリオからＯＯＣシナリオへの切り替えの模式図を示した。
【図１５】図１３に示されたシナリオにおける、ユーザ自律選択モードから基地局スケジューリングモードへ切替えた場合に基地局とユーザとの間の情報フローの模式図を示した。
【図１６】図１４に示されたシナリオにおける、基地局スケジューリングモードからユーザ自律選択モードへ切替えた場合の基地局とユーザとの間の情報フローの模式図を示した。
【図１７】ｓｉｄｅｌｉｎｋによりマルチキャスト又はブロードキャストを行うシナリオの一つの応用例を示した。
【図１８】隊列（Ｐｌａｎｔｏｏｎｉｎｇ）通信シナリオの一つの応用例を示した。
【図１９】ｓｉｄｅｌｉｎｋキャリアアグリゲーション通信におけるプライマリキャリア／セカンダリキャリアの変換メカニズムの模式図を示した。
【図２０】本願の一実施例による無線通信に用いられる方法のフローチャートを示した。
【図２１】本開示内容の技術を適用可能なスマートフォンの模式的な配置の例示のブロック図を示した。
【図２２】本開示内容の技術を適用可能なカーナビゲーションデバイスの模式的な配置の例示のブロック図を示した。
【図２３】本発明の実施例の方法及び／又は装置及び／又はシステムを実現可能な汎用パーソナルコンピュータの模式的な構成のブロック図を示した。
【発明を実施するための形態】
【００１３】
以下、本開示の例示的な実施例について添付の図面を参照して説明する。明確化と簡潔さのために、実際の実施形態の全ての特徴が明細書に記述されているわけではない。しかしながら、こういう実際の実施例の開発において、開発者の具体的な目標を達成し、例えば、システムや業務に関連する制約条件を満たすために多くの実施形態特有の決定が行われなければならなく、これらの制約条件は実施形態に応じて変更される可能性があることと理解すべきである。加えて、開発作業は非常に複雑で時間がかかる可能性があるが、そのような開発作業は本開示の利益を有する当業者にとって日常的なタスクのみであることも理解されるべきである。
【００１４】
ここで、不必要な詳細によって本開示を不明瞭にすることを避けるために、本開示による方案に密接に関連する装置構造及び／又は処理ステップのみが図面に示され、本開示とはほとんど関係のない他の詳細は省略されることにも注意されたい。
【００１５】
＜第一実施例＞
従来のキャリアアグリゲーションの解決案は、何れもネットワークコントローラノード、例えば基地局（ＬＴＥシステムの場合に例えばｅＮＢ）がスケジューリングに参加する手段、即ち、基地局によりキャリアアグリゲーションの各行為、例えば関連測定、策略及びイベントのトリガのスケジューリングを行うことに基く。以下でこのようなキャリアアグリゲーションのモードを基地局スケジューリングモードと称する。そして、従来のキャリアアグリゲーション通信は、主にネットワーク制御側とネットワークノードとの間のリンク、例えばＵｕｌｉｎｋのシナリオに適用される。
【００１６】
しかしながら、前記のように、ネットワークノードとネットワークノードが直接に通信するｓｉｄｅｌｉｎｋシナリオにおいて、ネットワークノードの間の通信にネットワークコントローラノードの参加が無くても良いので、キャリアアグリゲーションにより通信を行う場合に、従来のキャリアアグリゲーションの各行為を正確に実行できない恐れがある。これに鑑みて、本実施例はサイドリンクにおけるキャリアアグリゲーションの解決案を提出した。以下で基地局の参加しないキャリアアグリゲーションモードをユーザ自律選択モードと称する。
【００１７】
本願では、ネットワークコントローラノードは、通信システムにおいて通信業務の関連設置、制御、通信リソースの割り当てなどの機能を実現するためのエンテイティ、例えばセルラー通信システムにおける基地局（例えば、ｅＮＢ又はｇＮＢ）、Ｃ−ＲＡＮ（Ｃｌｏｕｄ−ＲＡＮ／Ｃｅｎｔｒａｌｉｚｅｄ−ＲＡＮ）アーキテクチャにおける（セルという概念が存在しない可能性がある）のベースバンドクラウドデバイス、例えばＣ−ＲＡＮアーキテクチャにおいて互いに高速で接続されるＢＢＵプールにおける何れか一つのＢＢＵなどを指す。ネットワークノードは、通信システムにおいて通信リソースによりその通信目的を実現するためのエンテイテイ、例えば各種のユーザ又はユーザデバイス（例えばセルラー通信能力を持つモバイル端末、スマート車両、スマートウェアデバイスなど）、或いはネットワークインフラ、例えばスモールセル基地局などを指す。
【００１８】
容易に理解するために、図１と図２にＶ２Ｖ通信シナリオをｓｉｄｅｌｉｎｋシナリオとする例示が示された。なお、基地局をネットワークコントローラノード、ユーザ（又は対応する車両、ＵＥとも呼ばれる）をネットワークノードとする。図１にユーザが基地局のカバーエリア内にある（Ｉｎ−ｃｏｖｅｒａｇｅ、ＩＣ）場合が示され、図２にユーザが基地局のカバーエリア外にある（Ｏｕｔ−ｏｆ−ｃｏｖｅｒａｇｅ、ＯＯＣ）場合が示された。以下で、主に当該ｓｉｄｅｌｉｎｋシナリオを中心に説明する。しかし、理解すべきなのは、制限的ではなく、説明の便利のために過ぎない。本願の技術案は、他のｓｉｄｅｌｉｎｋシナリオに適当に応用可能である。
【００１９】
ＯＯＣ状態においてキャリアアグリゲーションが実行されると、基地局によるスケジューリングが実行できない。そして、図３に示されたように、ユーザは移動性により異なるキャリアカバーエリアの間に頻繁に切替えられるため、キャリアアグリゲーションの実施プロセスにおける不安定性が発生する。勿論、更にＯＯＣ状態とＩＣ状態との切り替えが発生する可能性がある。また、セカンダリキャリアの多様性、差異性及び測定基準の制限により、セカンダリキャリア配置の正確性に影響し、ひいてはキャリアアグリゲーション通信の確実性までに影響する。本願に提出された無線通信に用いられる電子デバイスは、これら課題のうち一つ又は複数を解決し又は低減するが、それらに限定されない。
【００２０】
図４は、本願の一実施例による、無線通信に用いられる電子デバイス１００の機能モジュールのブロック図を示した。図４に示されたように、電子デバイス１００は、サイドリンクにおける可用コンポーネントキャリアの関連パラメータが所定の条件を満たしているか否かを判断するように配置される判断ユニット１０１と、関連パラメータが所定の条件を満たしている場合に、可用コンポーネントキャリアをサイドリンクにおけるキャリアアグリゲーションに用いられるセカンダリキャリアとして配置するように配置される配置ユニット１０２と、を備える。
【００２１】
なお、判断ユニット１０１と配置ユニット１０２は、一つ又は複数の処理回路により実現されても良い。当該処理回路は例えばチップとして実現されても良い。
【００２２】
電子デバイス１００は、サイドリンクにおける可用コンポーネントキャリアの関連パラメータが所定の条件を満たしているか否かに基いて、セカンダリキャリアとして配置するか否かを決定する。電子デバイス１００は、このような方式により、サイドリンクにおけるキャリアアグリゲーションに用いられるセカンダリキャリアの配置を実行可能である。電子デバイス１００は、ネットワークノード側に位置しても良く、ネットワークコントローラノード側に位置しても良い。本実施例は、電子デバイス１００がネットワークノード側に位置する状態について説明する。
【００２３】
具体的に、電子デバイス１００がネットワークノード側に位置する場合に、ネットワークコントローラノードの参加が必要せず、ネットワークノードによりＳＣＣの配置を行い、特にＯＯＣのシナリオに適用するが、これらに限定されなく、ＩＣのシナリオに適用されても良い。
【００２４】
セカンダリキャリアの配置を行う前に、プライマリキャリアの確定を行う必要がある。ＩＣのシナリオにおいて、キャリアアグリゲーションに用いられるプライマリキャリアは、ネットワークコントローラノード、例えば基地局により選択可能である。このような例示において、ネットワークコントローラノードによりネットワークノードへ測定イベントを送信し、ネットワークノードにより可用なＣＣの関連パラメータを測定してネットワークコントローラノードへ報告し、ネットワークコントローラノードにより報告された測定結果に応じてＰＣＣを選択し、ネットワークノードにＰＣＣを配置する。
【００２５】
例示的に、図５に示されたように、電子デバイス１００は更に、可用コンポーネントキャリアの関連パラメータを測定するように配置される測定ユニット１０３と、測定結果をネットワークコントローラノードへ提供し、ネットワークコントローラノードから測定結果に基づいて選択されたプライマリキャリアの情報を取得するように配置される送受信ユニット１０４と、を備えても良い。なお、測定ユニット１０３と送受信ユニット１０４は、一つ又は複数の処理回路により実現可能である。当該処理回路は例えばチップとして実現可能である。送受信ユニット１０４の一部は、更に、通信インターフェース又はアンテナとして実現されても良い。
【００２６】
ここで、可用コンポーネントキャリアは、プライマリキャリアとセカンダリキャリアが一つのリソースプールを共有する場合に、リソースプールにおける各コンポーネントキャリアであっても良い。その一方、可用コンポーネントキャリアは、プライマリキャリアとセカンダリキャリアに対するリソースプールを別個に設置する場合に、プライマリキャリアのリソースプールにおけるコンポーネントキャリアである。
【００２７】
具体的に、測定ユニット１０３は、各コンポーネントキャリアの通信品質のパラメータを測定可能である。通信品質のパラメータは、例えば、対応ＣＣにおける信号強度情報、例えば受信信号参考パワーＲＳＲＰ（Ｒｅｃｅｉｖｉｎｇ  Ｓｉｇｎａｌ  Ｒｅｆｅｒｅｎｃｅ  Ｐｏｗｅｒ）又は受信信号強度指標ＲＳＳＩ（Ｒｅｃｅｉｖｉｎｇ  Ｓｉｇｎａｌ  Ｓｔｒｅｎｇｔｈ  Ｉｎｄｉｃａｔｉｏｎ）、チャンネル品質指標ＣＱＩ（Ｃｈａｎｎｅｌ  Ｑｕａｌｉｔｙ  Ｉｎｄｉｃａｔｏｒ）、信号対干渉比ＳＩＲ（Ｓｉｇｎａｌ  ｔｏ  Ｉｎｔｅｒｆｅｒｅｎｃｅ  Ｒａｔｉｏ）、チャンネルビジー率ＣＢＲ（Ｃｈａｎｎｅｌ  Ｂｕｓｙ  Ｒａｔｉｏ）などを含む。なお、ネットワークコントローラノードは、例えば、通信品質が最も良いＣＣをＰＣＣとして選択可能である。
【００２８】
また、送受信ユニット１０４は、ネットワークコントローラノードへネットワークノードの基本情報と負荷測定結果を提供し、ネットワークコントローラノードにキャリアアグリゲーションを行うか否かを判断させても良い。基本情報の提供は、プライマリキャリアの確定前に発生する。言い換えれば、ネットワークコントローラノードがキャリアアグリゲーションの実行可能性と必要性を初期に判断するように、ｓｉｄｅｌｉｎｋ通信の双方からネットワークコントローラノードへ基本情報を提供する。
【００２９】
例えば、基本情報には、ネットワークノードのタイプが例えばＲ１４ユーザであるかＲ１５ユーザであるか、ネットワークノードの移動速度、ネットワークノードの地理位置、ネットワークノードの能力が例えばキャリアアグリゲーション又は情報処理能力などをサポートできるか、ネットワークノード送受信リンク状態、及び送受信リンク占用状態のうちの一つ又は複数が含まれても良い。また、基本情報には、ネットワークノードの負荷に関する概況、例えば負荷の負担が十分に大きいか、伝送レートに対する要求が十分に高いかなどが更に含まれてもよい。ネットワークコントローラノードは、通信の双方が何れもキャリアアグリゲーションを実行可能であり、及び少なくとも一方にキャリアアグリゲーションを実行する必要があると判断された場合に、キャリアアグリゲーションを実行すると確定し且つ準備の段階に入る。当該準備の段階において、ネットワークコントローラノードは前記のようにＰＣＣの選択を行う。
【００３０】
容易に理解するために、図６には、図１に示されたシナリオに基地局によりＰＣＣの選択を行う例示における、基地局とキャリアアグリゲーションを実行するユーザとの間の情報フローの模式図が示された。最初に、基地局とユーザ１及びユーザ２との間に基本の無線リソース制御（Ｒａｄｉｏ  Ｒｅｓｏｕｒｃｅ  Ｃｏｎｔｒｏｌ、ＲＲＣ）接続が確立される。そして、ユーザ１とユーザ２はそれぞれ基地局へそのユーザの基本情報を報告し、基地局はこれらの情報に基づいてユーザにキャリアアグリゲーションを行う能力と必要性があるか否かを判断する。キャリアアグリゲーションを行う能力と必要性があると判断された場合に、基地局はユーザへＰＣＣ選択の測定配置を配布し、ユーザ１とユーザ２はそれに応じて測定、例えばＣＣの通信品質に対する測定を実行し、測定結果を基地局へ報告する。理解すべきなのは、ユーザの測定と報告を必要せずに、基地局により測定操作、例えばＣＣの通信品質に対する測定を行っても良い。そして、基地局は、イベントの測定結果に基づいてユーザ１とユーザ２に対してＰＣＣを選択し、ユーザ１とユーザ２に対してＰＣＣを配置する。理解すべきなのは、基地局は、ユーザ１とユーザ２に同じＰＣＣを配置しても良く、異なるＰＣＣを配置しても良い。即ち、ＰＣＣは通信の双方について対称であってもでなくても良く、例えば双方に使用されるリソースプールと現在のリソース使用状態に依存する。
【００３１】
いままでネットワークコントローラノードによりＰＣＣの配置を行う例示を説明したが、他の例示において、ネットワークノード、具体的に電子デバイス１００の配置ユニット１０２により各可用コンポーネントキャリアの関連パラメータに基いてサイドリンクにおけるキャリアアグリゲーションに用いられるプライマリキャリアを確定しても良い。
【００３２】
当該例示において、電子デバイス１００は、例えばサイドリンクの一方側の第一ネットワークノードに用いられる。配置ユニット１０２とサイドリンクの他方側の第二ネットワークノードが連携してキャリアアグリゲーションを実行する。理解すべきなのは、第一ネットワークノードと第二ネットワークノードは、容易に区分するために命名されたものに過ぎず、特定の順番又は他の意味を示すことではなく、両者が同等である。以下の説明において、第一ネットワークノードが関連の策略操作を実行する状態を例示とするが、制限的なものではない。
【００３３】
第一ネットワークノードと第二ネットワークノードとの間に基本のｓｉｄｅｌｉｎｋ接続が確立された。送受信ユニット１０３は、当該ｓｉｄｅｌｉｎｋ接続により、第一ネットワークノードと第二ネットワークノードとの間に対応するネットワークノードの基本情報を共有することができる。つまり、送受信ユニット１０３は、第二ネットワークノードへ第一ネットワークノードの基本情報を送信し、第二ネットワークノードの基本情報を受信する。基本情報の内容は、前述で説明されたため、ここでは重複しない。配置ユニット１０２は、少なくとも当該基本情報に基づいてキャリアアグリゲーションを実行するか否かを確定し、例えば当該基本情報に基づいて第一ネットワークノードと第二ネットワークノードにキャリアアグリゲーションを実行する能力と必要性があるか否かを確定し、且つ第一ネットワークノードと第二ネットワークノードが何れもキャリアアグリゲーションを実行する能力を有し且つ何れも一つにキャリアアグリゲーションを実行する必要性がある場合に、キャリアアグリゲーションを実行すると確定し、キャリアアグリゲーションの準備段階に入る。
【００３４】
当該例示において、ネットワークコントローラノードが参加せずに、ネットワークノードによりキャリアアグリゲーション操作を自律的に実行するため、二つのネットワークノードの何れか一つを選択して必要な策略操作を行う必要がある。一つの例示として、配置ユニット１０２は、共有されたネットワークノードの基本情報に基づいて第一ネットワークノードによりキャリアアグリゲーションにおける関連の策略操作を行うと確定し、且つ第二ネットワークノードと連携して一致に達する。具体的に、配置ユニット１０２は、第一ネットワークノードの基本情報と第二ネットワークノードの基本情報を比較し、例えば二つのネットワークノードの情報処理能力、負荷状態などを比較することにより、処理能力が強く、負荷が軽いネットワークノードを策略（トリガを含む）操作を行うネットワークノードとして選択しても良い。本文において第一ネットワークノードを策略ネットワークノードとして例示する。策略ノードの選択がそれぞれ行われた後に、第一ネットワークノードと第二ネットワークノードは、それぞれの選択結果をやり取りし、協議を行って一致に達することができる。当該プロセスにおいて、第一ネットワークノードと第二ネットワークノードは、シグナリングのやり取りを行う。
【００３５】
第一ネットワークノードによりキャリアアグリゲーションの関連の策略操作を行うと決定した後に、第一ネットワークノードの配置ユニット１０２はＰＣＣに配置を行う。例えば、第一ネットワークノードと第二ネットワークノードは、それぞれ可用ＣＣの関連パラメータ、例えば通信品質のパラメータに対して自律的な測定を行う。第二ネットワークノードは測定結果を第一ネットワークノードへ報告し、第一ネットワークノードの配置ユニット１０２は第一ネットワークノードの測定結果と第二ネットワークノードから報告された測定結果に基づいてＰＣＣを選択し、例えば通信品質の最も良いＣＣをＰＣＣとして選択可能である。同様に、通信品質のパラメータは、例えば対応するＣＣにおける信号強度情報、例えばＲＳＲＰ又はＲＳＳＩ、ＣＱＩ、ＳＩＲ、ＣＢＲなどを含む。
【００３６】
選択されたＣＣと基本ｓｉｄｅｌｉｎｋ通信に用いられるＣＣが同一であれば、基本ｓｉｄｅｌｉｎｋ通信に用いられるＣＣをＰＣＣとして配置し、さもなければ、選択されたＣＣをＰＣＣとして配置し、且つＰＣＣにおいて基本ｓｉｄｅｌｉｎｋ通信を行う。実際のチャンネル状態、通信規格（例えばＴＤＤ／ＦＤＤ）などの要因を考慮すると、第一ネットワークノードと第二ネットワークノードにとっては、ＰＣＣの選択は、対称であってもでなくても良い。即ち、ｓｉｄｅｌｉｎｋキャリアアグリゲーション通信に用いられるＰＣＣは、一つより多い可能性がある。
【００３７】
容易に理解するために、図７には、図１又は図２に示されたシナリオにユーザによりＰＣＣ選択を行う例示における、ユーザの間の情報フローの模式図が示された。最初に、ユーザ１とユーザ２との間に基本のｓｉｄｅｌｉｎｋ接続を確立し、当該基本接続によりユーザ１とユーザ２の基本情報の共有を行う。次に、ユーザ１とユーザ２はそれぞれキャリアアグリゲーションを行うか否かの判断及び協議を行う。例えば、両者は、キャリアアグリゲーションを行い、且つユーザ１により関連の策略操作を実行すると決定する。そして、ユーザ１とユーザ２は、ＰＣＣ選択イベントの測定をそれぞれ行い、例えば可用ＣＣの通信品質のパラメータを測定する。ユーザ２は、測定結果をユーザ１へ報告し、ユーザ１は両者の測定結果に応じてＰＣＣの選択又は選択し直しを行ってユーザ２に通知する。
【００３８】
また、前記の二種のＰＣＣの確定方式において、ＰＣＣの配置は何れも変更可能であり、即ちＰＣＣの選択し直しを行うことができる。第一ネットワークノードと第二ネットワークノードは、リソースプールにおけるキャリアに対して周期的な測定を行うことができる。現在のＰＣＣ通信品質が閾値を満たせず、且つリソースプールにおける他の可用キャリアの通信品質がより良く、例えばＲＳＲＰ値がより小さいため、より多いスペースがネットワークノードに使用されると意味する場合に、ネットワークコントローラノード又は第一ネットワークノードの配置ユニット１０２はＰＣＣ切り替えイベントをトリガすることができる。
【００３９】
また、ネットワークノードの測定と選択の負担を低減するために、プライマリキャリアの選択範囲を予め配置しても良い。プライマリキャリアを配置する場合に、予め配置された当該範囲内のＣＣだけに測定及び選択を実行すれば良い。
【００４０】
上記の何れか一つの方式によりＰＣＣの配置を完成した後に、ネットワークノードによりＳＣＣの配置とアクテイブを自律的に行う。ＰＣＣがネットワークコントローラノードにより配置される場合に、第一ネットワークノードと第二ネットワークノードは、最初に前記のように策略ネットワークノードの協議確定を行い、即ち互いに基本情報を共有し且つ当該情報に基づいて策略ネットワークノードとするネットワークノードを協議し確定する。ＰＣＣがネットワークノードにより配置される場合に、策略ネットワークノードが既に選択されたため、以下のＳＣＣの配置操作を直接に行えばよい。その代わり、策略ネットワークノードが変更可能であり、例えば、各種の策略操作を行う前に又は特定のイベントが発生した場合に、或いは周期的に、第一ネットワークノードと第二ネットワークノードにより基本情報及び現在のリアルタイム状態に応じて策略ネットワークノードの選択を行う。容易に説明するために、策略ネットワークノードが変更可能に係わらず、第一ネットワークノードを策略ネットワークノードとすることを例示するが、理解すべきなのは、制限的なものではなく、策略ネットワークノードの変更が本願の実施例の実施に影響しない。
【００４１】
例えば、配置ユニット１０２は、共有されたネットワークノードの基本情報に基づいて第一ネットワークノードと第二ネットワークノードが実行する、可用コンポーネントキャリアに対する測定操作を配置し、送受信ユニット１０４は、対応するネットワークノードにより測定された可用コンポーネントキャリアの関連パラメータを取得する。
【００４２】
ここで、プライマリキャリアとセカンダリキャリアが一つのリソースプールを共有する場合に、可用コンポーネントキャリアは、リソースプールにおけるプライマリキャリア以外のコンポーネントキャリアであっても良い。例えば、ネットワークコントローラノードがＰＣＣを配置する場合に、既に配置されたコンポーネントキャリア、例えばＰＣＣとして選択されたコンポーネントキャリア及びＳＣＣとして配置されたコンポーネントキャリアに標記することにより衝突を回避することができる。その一方、プライマリキャリアとセカンダリキャリアに対するリソースプールを別個に設置する場合に、可用コンポーネントキャリアは、セカンダリキャリアのリソースプールにおけるコンポーネントキャリアに指す。
【００４３】
配置ユニット１０２は、例えば、共有された基本情報に基づいて、第一ネットワークノードと第二ネットワークノードの何れか一つにより全ての測定を行うこと、第一ネットワークノードと第二ネットワークノードがそれぞれネットワークノードに対する測定を行うこと、基本情報に基づいて第一ネットワークノードと第二ネットワークノードがそれぞれ測定を完成する可用ＣＣの比例を確定すること、のうちの何れか一つのＣＣ測定方式を配置する。
【００４４】
例えば、第一ネットワークノードと第二ネットワークノードの測定ユニットは、基本情報に基づいて確定された一定比例の可用ＣＣに対して周期的な測定を行って可用ＣＣの関連パラメータを取得し、且つ、第一ネットワークノードの送受信ユニット１０４は第二ネットワークノードから測定結果を取得する。一つの例示において、第二ネットワークノードの測定結果は、所定のイベントトリガ条件が満たされている場合にのみ送受信ユニット１０４へ提供される。なお、測定の周期は、例えば上位のシグナリングにより配置され、或いは予め配置される。
【００４５】
一般的に、より良い通信品質、安定性を持つＣＣを優先に選択してＳＣＣとして配置する。一つの例示において、可用ＣＣの関連パラメータに対応する可用ＣＣの通信品質を示すパラメータが含まれる。つまり、ネットワークノードはその可用ＣＣの通信品質を測定する。例えば、対応する可用ＣＣの通信品質を示すパラメータに対応するＣＣにおける信号強度情報が含まれる。当該信号強度情報は、対応するＣＣが占用される状態を示す。信号強度が大きいほど、対応するコンポーネントキャリアが占用される程度が高く、ＣＣとして配置されるのに不適であることを意味する。従って、対応するＣＣにおける信号強度が所定の閾値よりも低いことを所定の条件として設置し、即ち、アイドルコンポーネントキャリアを選択してＳＣＣとして配置することができる。例えば、隣接キャリアのオフセット量、隣接キャリア周波数の特定のオフセット、隣接キャリアの特定のオフセット量などを測定することにより、ＣＣの通信品質を測定することができる。
【００４６】
他の例示において、可用ＣＣの関連パラメータには、更に負荷状態を示すパラメータが含まれても良い。実際的に、負荷状態はある程度で信号強度情報を提供し、両者は共にＣＣの通信品質を評価することに用いられる。
【００４７】
また、前記のように、ｓｉｄｅｌｉｎｋシナリオにおいて、通信を行うネットワークノードが高速移動の状態にある可能性があるため、異なるキャリアカバーエリアの間におけるネットワークノードの頻繁な切り替えを招き、ひいてはキャリアアグリゲーションの実施過程における不安定を招く。従って、可用ＣＣの関連パラメータを対応する可用コンポーネントキャリアの安定性を示すパラメータを含むように設置することにより、キャリアアグリゲーションの過程の安定性を確保することができる。
【００４８】
例示的に、対応する可用ＣＣの安定性を示すパラメータには、対応するＣＣが要求に応じる通信品質でキャリアアグリゲーション通信を実行可能な推定時間が含まれる。なお、通信品質の要求は、例えば上位のプロトコルにより配置される通信品質の閾値で確定され、或いは予め配置される。
【００４９】
当該推定時間は、例えば現在のチャンネル条件に基づいて取得される。推定時間は、例えば、ネットワークノードの移動速度、地理位置、送受信リンク占用率、可用ＣＣのキャリアカバーエリア、キャリア信号強度などのうちの少なくとも一つに基づいて確定可能である。当該確定過程は、推定過程であり、推定時間と安定性の閾値とを比較し、比較結果を当該ＣＣがＳＣＣとして配置可能であるか否かを決定する条件の一つとすることができる。例えば、ＣＣの通信品質と安定性が何れも条件を満たしている場合のみ、当該ＣＣをＳＣＣとして配置しても良い。安定性の閾値は、基地局により配置され、予め指定され、或いはユーザにより指定されても良い。
【００５０】
また、この前にＳＣＣとして配置されたＣＣが所定の条件を満たさなくなると、当該ＣＣがアグリゲーションされていない前提で、配置ユニット１０２により当該ＣＣのＳＣＣ配置を削除する。
【００５１】
容易に理解するために、図８に図１又は図２に示されたシナリオにユーザがＳＣＣ配置を行う例示における、ユーザの間の情報フローの模式図が示された。なお、依然としてユーザ１がキャリアアグリゲーションの関連の策略操作を実行する状態を例示とする。最初に、ユーザ１は、ユーザ１とユーザ２のユーザ基本情報に基づいてＳＣＣ配置の測定イベントの実施方式を決定してユーザ２へ通知する。次に、ユーザ１とユーザ２は、決定されたＳＣＣ配置の測定イベントの実施方式に基づいて測定を行い、且つユーザ２は測定結果をユーザ１に報告する。ユーザ１は、測定結果に基づいてＳＣＣの配置を決定してユーザ２へ通知する。
【００５２】
図面に示されていないが、基地局によりＰＣＣを選択する場合に、前記フローは、ＳＣＣ配置の測定イベントの操作を決定する前に、ユーザ１とユーザ２の間に各自の基本情報を共有し、及び当該基本情報に基づいて策略操作を実行するユーザを確定するステップを含むべきである。
【００５３】
ここまでキャリアアグリゲーションの準備作業が完成したため、このタイミングで配置されたＳＣＣをアクテイブしてキャリアアグリゲーション操作を実行することができる。例えば、第一ネットワークノードと第二ネットワークノードの測定ユニットは、更に各自の負荷に対して周期的な測定を実行可能である。配置ユニット１０２は、第一ネットワークノードと第二ネットワークノードの負荷の測定結果に基づいてセカンダリキャリアのアクテイブ又はディアクテイブを行い、言い換えれば、キャリアアグリゲーションを実行するか否かの判断及び対応するトリガ操作を実行することができる。なお、負荷の測定配置は、策略ノードであるネットワークノードにより作成し配布されても良く、予め配置されても良い。測定の周期は、例えば上位のシグナリングにより配置される。
【００５４】
なお、負荷に対する測定は、例えばネットワークノードのデータバッファ又はデータスループットのうちの少なくとも一つに対する測定を含んでも良い。
【００５５】
例えば、配置ユニット１０２は、第一ネットワークノードと第二ネットワークノードの負荷が何れも所定の閾値を超えること、第一ネットワークノードと第二ネットワークノードのうちの特定のネットワークノードの負荷が所定の閾値を超えること、第一ネットワークノードと第二ネットワークノードのうちの何れか一つの負荷が所定の閾値を超えること、という条件のうちの何れか一つを満たしている場合にセカンダリキャリアのアクテイブを実行するように配置可能である。なお、更に第二ネットワークノードにＳＣＣのアクテイブを実行するように通知する必要がある。
【００５６】
それに応じて、配置ユニット１０２により前記アクテイブの条件を満たしていないと判断された場合に、現在にアグリゲーションされているＳＣＣが存在すると、配置ユニット１０２によりＳＣＣディアクテイブの操作を実行し、例えば第一ネットワークノードにおけるＳＣＣのアグリゲーションをキャンセルし、及び第二ネットワークノードにディアクテイブ操作を実行するように通知することを含み、さもなければ、正常の通信を続ける。従って、配置ユニット１０２は、更に、ＳＣＣのアクテイブ又はディアクテイブに関する指示情報を生成して第二ネットワークノードに通知するように配置されも良い。
【００５７】
なお、セカンダリキャリアアクテイブの条件についての判断は、第一ネットワークノードと第二ネットワークノードのそれぞれにより完成し、第一ネットワークノードにより結果を統合しても良く、第二ネットワークノードにより負荷の測定結果を第一ネットワークノードに報告し、第一ネットワークノードにより両者の負荷の測定結果に基づいて統一的に判断しても良い。
【００５８】
容易に理解するために、図９には、図１又は図２に示されたシナリオにユーザによりＳＣＣアクテイブを行う例示における、ユーザの間の情報フローの模式図が示された。なお、依然としてユーザ１を策略ネットワークノードとして例示する。最初に、ユーザ１とユーザ２はそれぞれ通信負荷の測定を行う。例えば、当該測定は周期的なものである。次に、負荷の測定結果に基づいてキャリアアグリゲーションが必要か否かの判断を行う。前記のように、当該判断は、ユーザ１によりなされても良く、ユーザ１とユーザ２とにより合わせてなされても良い。最後に、当該判断の結果に基づいてＳＣＣのアクテイブ又はディアクテイブを行う。
【００５９】
以上より、当該実施例の電子デバイス１００によれば、サイドリンクにおけるキャリアアグリゲーション操作を実現することができ、ネットワークコントローラノードのスケジューリング機能の代わりに、通信を行うネットワークノードを連携させることにより、ＯＯＣシナリオにおいてもサイドリンクにおけるキャリアアグリゲーションを行えるように実現することができる。理解すべきなのは、本願に提出されたｓｉｄｅｌｉｎｋにおけるキャリアアグリゲーションの技術は、現在の４Ｇ通信システム、未来の５Ｇ通信システム、及び実現可能なより先進な技術を採用する通信システムに適用可能である。
【００６０】
＜第二実施例＞
本実施例は、電子デバイス１００がネットワークコントローラノード側に位置する例示を説明する。当該例示によれば、ネットワークコントローラノードによりＰＣＣとＳＣＣの配置を行い、即ち、ネットワークコントローラノードによりキャリアアグリゲーションの関連操作を実行する、ネットワークコントローラノードによるスケジューリングモードは、ＩＣシナリオに適用する。
【００６１】
このようなモードにおいて、ネットワークコントローラノードは、前記のようにＰＣＣの選択と配置を行い、ＰＣＣによりネットワークノードへ測定イベントを周期的に配布する。測定の周期は例えば上位のシグナリングにより配置される。ネットワークノードは各自の可用ＣＣに対して測定操作を行い、例えばそれぞれの可用ＣＣの通信品質のパラメータを測定する。同様に、可用ＣＣの通信品質を示すパラメータは、対応するＣＣにおける信号強度情報を含んでも良い。例えば、隣接キャリアオフセット量、隣接キャリア周波数の特定のオフセット、隣接キャリアの特定のオフセット量などを測定することによりＣＣの通信品質を測定することができる。また、ネットワークノードは、更に、対応するＣＣがキャリアアグリゲーションに使用可能な時間を推定し、推定された時間を安定性のパラメータとしてネットワークコントローラノードに提供する。例えば、推定時間は、ネットワークノードの移動速度、地理位置、送受信リンク占用率、可用コンポーネントキャリアのキャリアカバーエリア、キャリア信号強度のうちの少なくとも一つに基いて確定可能である。
【００６２】
ネットワークノードは、測定結果をネットワークコントローラノードへ報告し、ネットワークコントローラノードは、測定結果に基づいてＳＣＣの配置を行い、例えば、所定の条件を満たしているＣＣをＳＣＣとして配置し、ＳＣＣとして配置されたが所定の条件を満たさなくなり、且つアグリゲーションされていないＣＣのＳＣＣ配置を削除する。例示的に、ＣＣの通信品質が所定値よりも高く且つ安定性が所定の安定性よりも高い場合に、当該ＣＣが所定の条件を満たし、ＳＣＣとして配置可能であると考える。また、ネットワークノードは、トリガ条件を満たしている測定結果のみをネットワークコントローラノードに報告しても良い。当該トリガ条件は予め設置可能である。
【００６３】
また、ネットワークコントローラノードからネットワークノードへ測定配置を配布し、ネットワークノードが当該測定配置に基いて可用ＣＣの測定を行い、測定結果に基づいてＳＣＣを自律的に選択するように設置されても良い。なお、ネットワークノードは、第一実施例のように、基本情報に基づいて策略ネットワークノードを確定し、策略ネットワークノードによりＳＣＣを選択しても良い。或いは、ネットワークノードは、ＳＣＣをそれぞれ自律的に選択しても良い。その後に、ネットワークノードはＳＣＣの選択結果をネットワークコントローラノードに報告し、ネットワークコントローラノードはネットワークノードから報告されたＳＣＣ選択結果に基づいてＳＣＣ配置を行う。
【００６４】
他の例示において、ネットワークコントローラノードにより可用ＣＣの測定を行い、且つネットワークノードにより測定結果に基づいてＳＣＣを配置することにより、ネットワークノードの処理負荷を低減し、シグナリングコストを低減するもできる。
【００６５】
依然として図１に示されたシナリオを例とする。図１０と図１１は、それぞれ、基地局スケジューリングモードにおけるＳＣＣの配置の情報フローを示した。なお、図１０は、ユーザ１とユーザ２がトリガ条件を満たしている測定結果を基地局へ報告する例示を示し、図１１は、ユーザ１とユーザ２がそれぞれ測定結果に基づいてＳＣＣを自律的に選択し、且つ選択結果を基地局へ報告する例示を示した。理解すべきなのは、これらの情報フローは制限的なものではない。
【００６６】
当該モードにおいて、ネットワークコントローラノードは、ネットワークノードへ負荷測定の配置を配布可能である。ネットワークノードは通信負荷の測定を周期的に行い、トリガ条件を満たしている測定結果をネットワークコントローラノードに報告する。なお、測定の周期とトリガ条件は、例えば上位のシグナリングにより配置される。ネットワークコントローラノードは、報告された負荷測定結果に基づいてＳＣＣをアクテイブするか否かを決定する。或いは、ネットワークノードは、負荷の測定結果に基づいてＳＣＣをアクテイブするか否かを自律的に決定しても良い。これは、ネットワークノード同士の連携により完成可能である。例えば、一方側のネットワークノードの負荷がアクテイブ条件を満たしていれば、ＳＣＣをアクテイブすることができる。
【００６７】
依然として図１に示されたシナリオを例とする。図１２は、基地局スケジューリングモードにおけるＳＣＣのアクテイブの情報フローの例示を示した。当該例示において、ユーザ１とユーザ２はトリガ条件を満たしている測定結果を報告し、基地局はこれらの測定結果に基づいてＳＣＣをアクテイブするか否かを決定する。勿論、ユーザ１とユーザ２は全ての測定結果を報告しても良い。
【００６８】
以上より、当該実施例の電子デバイス１００によれば、サイドリンクにおけるキャリアアグリゲーション操作を実現することができる。
【００６９】
＜第三実施例＞
前記のように、ネットワークノードの移動に起因して、図１３と１４に示されたような、ＯＣＣシナリオとＩＣシナリオの切り替えが発生する恐れがある。なお、図１３はＯＯＣシナリオからＩＣシナリオへの切り替えを示し、図１４はＩＣシナリオからＯＯＣシナリオへの切り替えを示した。
【００７０】
第一ネットワークノードと第二ネットワークノードが現在にＯＯＣにある場合に、電子デバイス１００の判断ユニット１０１は、更に、第一ネットワークノードと第二ネットワークノードがネットワークコントローラノードのカバーエリア内に移動されたか否かを判断し、肯定の場合に、配置ユニット１０２が第二ネットワークノードとキャリアアグリゲーションにおける関連の策略操作をネットワークコントローラノードへ移転するか否かを協議し、否定の場合に、現在のキャリアアグリゲーション操作を継続するように配置されても良い。言い換えれば、ＯＯＣからＩＣへの切り替えが発生した場合に、通信の双方によりキャリアアグリゲーションモードをネットワークノード自律選択モードからネットワークコントローラノードによるスケジューリングのモードへ切替えるか否かを協議して決定する。例えば、第一ネットワークノードと第二ネットワークノードは、ネットワークノードの基本情報に基づいて当該決定をなされる。
【００７１】
注意すべきなのは、本実施例における前記のネットワークコントローラノードがスケジューリングを行うモードは、第二実施例における前記のネットワークコントローラノードがＰＣＣとＳＣＣを配置するモードであっても良く、第一実施例における前記のネットワークコントローラノードがＰＣＣを配置する一方、ネットワークノードがＳＣＣを配置するモードであっても良い。
【００７２】
モードの切り替えを行うと決定する場合に、送受信ユニット１０４は、第一ネットワークノードと第二ネットワークノードの基本情報、キャリア使用状態情報、及び現在のキャリアアグリゲーションの状態情報をネットワークコントローラノードに提供する。これにより、ネットワークコントローラノードは、これらの情報に基づいてキャリアアグリゲーション操作を継続することができる。
【００７３】
容易に理解するために、図１５は、図１３に示されたシナリオにユーザ自律選択モードから基地局スケジューリングモードへ切替えた場合における、基地局とユーザの間の情報フローの模式図を示した。なお、ユーザ１とユーザ２は、キャリアアグリゲーション通信の実行中である。ユーザ１とユーザ２は、ＯＯＣからＩＣへの切り替えが完成したと検出されると、両者がキャリアアグリゲーションモードの切り替えを行うか否かを共同で判決する。切り替えを行うと決定された場合に、ユーザ１とユーザ２は、基地局へ各自の基本情報をそれぞれ報告することができる。また、ユーザ１とユーザ２は、基地局へ各自のキャリア使用状態及び現在のキャリアアグリゲーションの状態情報を報告しても良い。その後に、基地局は、ユーザ１とユーザ２とそれぞれ基本的なＲＲＣ接続を確立し、基地局スケジューリングモードにおけるキャリアアグリゲーションに切替える。
【００７４】
一方、第一ネットワークノードと第二ネットワークノードが現在にＩＣにあり、且つネットワークコントローラノードスケジューリングモードが採用された場合に、判断ユニット１０１は、第一ネットワークノードと第二ネットワークノードがネットワークコントローラノードのカバーエリア外に移動されたか否かを判断し、肯定の場合に、第二ネットワークノードと連携してキャリアアグリゲーションを実行し、即ちネットワークノード自律選択モードに切替えるように配置されても良い。
【００７５】
容易に理解するために、図１６は、図１４に示されたシナリオに基地局スケジューリングモードからユーザ自律選択モードに切替える場合における、基地局とユーザの間の情報フローの模式図を示した。なお、ユーザ１とユーザ２は、基地局スケジューリングモードにおけるキャリアアグリゲーション通信の実行中である。ユーザ１とユーザ２は、ＩＣからＯＯＣへの切り替えが完成したと検出することにより、キャリアアグリゲーションモードの切り替えが必要であると判決する。ユーザ１とユーザ２は、例えば基本情報を共有し、策略ネットワークノードの選択などの操作を行って連携することにより、ユーザ自律選択モードにおけるキャリアアグリゲーションへ切替える。
【００７６】
本実施例は、ｓｉｄｅｌｉｎｋシナリオにおける、異なるモードの切り替えの時のキャリアアグリゲーションの実現を提供し、キャリアアグリゲーションの継続的な正常運行を確保した。
【００７７】
＜第四実施例＞
本実施例は、ｓｉｄｅｌｉｎｋシナリオにおけるマルチキャスト又はブロードキャスト方式でのキャリアアグリゲーションに対して説明する。図４と図５を参照し、配置ユニット１０２は、キャリアアグリゲーションに用いられるプライマリキャリアとセカンダリキャリアに関する関連情報を生成して他のネットワークノードへブロードキャストするように配置されても良い。例えば、送受信ユニット１０４は、物理サイドリンクブロードキャストチャンネル（Ｐｈｙｓｉｃａｌ  ｓｉｄｅｌｉｎｋ  ｂｒｏａｄｃａｓｔ  ｃｈａｎｎｅｌ、ＰＳＢＣＨ）を介して当該ブロードキャストメッセージを送信することができる。例えば、当該関連情報は、システム情報ブロック（Ｓｙｓｔｅｍ  Ｉｎｆｏｒｍａｔｉｏｎ  Ｂｌｏｃｋ、ＳＩＢ）の形でブロードキャストされても良い。関連情報は、プライマリキャリアとセカンダリキャリアのキャリア周波数、キャリアシーケンス番号、同期情報、リソースプールの割り当て、優先順位のうちの一つ又は複数を含んでも良い。
【００７８】
例えば、ＳＩＢ２１を採用して当該関連情報をブロードキャストすることができる。ＳＩＢ２１には、ｖ２ｘ−ＩｎｔｅｒＦｒｅｑＩｎｆｏＬｉｓｔコマンドが含まれる。当該コマンドには、ユーザに使用可能なキャリア情報（パラメータシーケンス番号０がプライマリキャリアに対応し、他のシーケンス番号がそれぞれ一つのセカンダリキャリアに対応する）、リソースプール（Ｖ２Ｘ−ＣｏｍｍＴｘＰｏｏｌＮｏｒｍａｌＣｃｏｍｍｏｎ／Ｅｘｃｅｐｔｉｏｎａｌ）とリソースＺｏｎｅの設置（ＺｏｎｅＣｏｎｆｉｇ）、キャリア周波数、同期情報、優先順位などが含まれる。また、キャリア同士のスケジューリングリソースの割り当ても前記対応するシーケンス番号に応じて行っても良く、例えば、ＤＣＩ−５ＡにおけるＣＩＦ＝１が第一項のキャリアに対応し、その他は類推すれば良い。
【００７９】
また、電子デバイス１００が位置するネットワークノードをブロードキャスト情報を受信するネットワークノードとする場合に、配置ユニット１０２は、他のネットワークノードからのキャリアアグリゲーションに用いられるプライマリキャリアとセカンダリキャリアに関するブロードキャスト情報に基づいて、キャリアアグリゲーションを行うか否か、或いはキャリアアグリゲーションの具体的な方式を確定し、例えばどれらのキャリアに対してキャリアアグリゲーションを行うかを確定するように配置されても良い。
【００８０】
なお、他のネットワークノードによりブロードキャストされる内容には、前記関連情報及びメッセージ内容などが含まれる可能性がある。ネットワークノードは、その可用キャリアのバンドにおいて定期にモニタリングし、他のネットワークノードのブロードキャスト／マルチキャスト信号が受信された後に、当該メッセージをモニタリングする必要があるか否かを判断し、判断結果が肯定の場合に、当該ブロードキャスト情報に基づいてキャリアアグリゲーションを行う。
【００８１】
なお、各ネットワークノードは、上位層により配置された、当該ネットワークノードに対するＶ２Ｘ−ＣｏｍｍＲＸｉｎｔｅｒｅｓｔｅｄＦｒｅｑＬｉｓｔ／Ｖ２Ｘ−ＣｏｍｍＴｘＦｒｅｑＬｉｓｔに基いて、送受信の過程に複数のキャリアを使用可能か否かを確定する。例えば、配置ユニット１０２は、上位層により配置されたＶ２Ｘ−ＣｏｍｍＲＸｉｎｔｅｒｅｓｔｅｄＦｒｅｑＬｉｓｔパラメータに基いてブロードキャスト情報を解析し、解析した後にアグリゲーション可能なキャリアの周波数、リソースプール、同期情報、優先順位などの情報を取得することができる。
【００８２】
図１７は、ｓｉｄｅｌｉｎｋによりマルチキャスト又はブロードキャストを行うシナリオの一つの応用例を示した。なお、ユーザをネットワークノードの例とする。ユーザ１〜ユーザ６は何れも基地局カバーエリア外にあるため、ユーザ自律選択モードでＳｉｄｅｌｉｎｋ通信が実行される。そのうち、ユーザ１は、他のユーザへデータ量の多い一組のメッセージ内容を送信しようとし、且つ各ユーザに一定の期間に当該メッセージ内容を受信して処理するように要求する。ユーザ１は、キャリアアグリゲーションの方式で当該一組のメッセージ内容を伝送すると希望するように要求を出す。
【００８３】
最初に、ユーザ１は自身の基本情報、周囲の可用キャリア状態などに基いて、プライマリキャリア及びセカンダリキャリアの選択方法を採用してユーザ１がキャリアアグリゲーションを行うのに最適なプライマリキャリア及びセカンダリキャリアを選択し、ＣＣ０、ＣＣ１／２／３……としてそれぞれ命名する。そして、ユーザの基本情報、選択されたキャリア状態及びメッセージ内容に基いて、キャリアアグリゲーション操作に対して同期情報などを設定する。
【００８４】
次に、ユーザ１は、ＰＳＢＣＨにおいてＳＩＢ２１の形でキャリアアグリゲーションに用いられるキャリアの関連情報を外へブロードキャストする。ユーザ１は、できるだけ多くのユーザが当該メッセージを受信可能になるように、一定の周波数で当該メッセージのブロードキャストを繰り返しても良い。なお、ブロードキャストの周波数は上位層のシグナリングにより配置可能である。
【００８５】
ユーザ２〜ユーザ６はＰＳＢＣＨにおいてモニタリングして続ける。例えば、ユーザ２は、多重キャリア用の情報が配置されていないため、キャリアアグリゲーションを行ってユーザ１の要求に応答することができない。ユーザ３は、多重キャリア用の情報が配置されたが、ブロードキャスト情報を受信して解析することにより、ユーザ１に選択されたキャリアがユーザ３に対して使用不可又は占用中であることがわかったため、キャリアアグリゲーションを行ってユーザ１の要求に応答することができない。ユーザ４は、多重キャリア用の情報が配置され、且つブロードキャスト情報の解析が成功したが、ユーザ１から送信されたメッセージ内容がユーザ４にとって無用であると判定されたため、ユーザ１の要求に応答しないと判定する。ユーザ５とユーザ６は、多重キャリア用の情報が配置され、且つブロードキャスト情報の解析が成功したため、ユーザ１の要求に応答すると判定し、即ち、ブロードキャストメッセージに従って指定されたキャリアにおいてモニタリングし、同期メッセージに従って複数のキャリアにおいて通信を行うことにより、ブロードキャスト方式でのキャリアアグリゲーションを実現した。理解すべきなのは、図１７は、ブロードキャスト／マルチキャスト形式でのキャリアアグリゲーションの一例だけ示し、制限的なものではない。
【００８６】
＜第五実施例＞
本実施例において、サイドリンクシナリオにおけるキャリアアグリゲーションの幾つかの応用例が示される。理解すべきなのは、これらの応用例は何れも制限的ではなく例示的なものである。
【００８７】
（第一例示）
当該例示において、サイドリンクは、隊列（Ｐｌａｎｔｏｏｎｉｎｇ）通信シナリオにおける隊列メンバーの間に存在する。図１８に示されたように、隊列において、メンバー１が先頭、メンバー２／３が隊列メンバーである。ユーザの通信は、隊列走行シナリオにおいて、データ量が多く、時間遅延に対する要求が低く、及び正確性に対する要求が高いなどの特徴を有する。キャリアアグリゲーションは、前記のニーズに応じる有効な方法である。当該シナリオにおけるキャリアアグリゲーションは、ユーザ自律選択モードにおけるキャリアアグリゲーションである。
【００８８】
例えば、ユーザは、ユーザの基本情報、通信負荷などの要因により、他のユーザとキャリアアグリゲーション通信を行う必要があると判定する。ユーザ同士は基本の通信リンクにより各自の基本情報を交換する。ユーザ１とユーザ２を例とする場合に、ユーザ１は、ユーザ２の基本情報を受信した後にユーザ１の基本情報と比較し、ユーザ１によりキャリアアグリゲーションの後続の策略操作を行うように提案し、当該提案を要求としてユーザ２へ送信する。ユーザ２は、ユーザ１からの要求を受信した後に、ユーザ２によりなされた判定結果と比較し、結果が一致であれば許可をフィードバックし、一致でなければ、不許可をフィードバックし、双方が一致に達するまで新しい要求を提案してユーザ１へ送信する。ここで、双方がユーザ１により後続の策略操作を行うと協議し、即ちユーザ１を策略ネットワークノードとすると仮定する。
【００８９】
次に、ユーザ１は、ユーザ２へキャリア測定配置メッセージを送信してユーザ２にユーザ２の可用コンポーネントキャリアの関連パラメータを測定するように要求すると共に、ユーザ１の可用コンポーネントキャリアの関連パラメータを測定する。ユーザ２は、測定を完成した後に結果をユーザ１へ報告する。ユーザ１は、ユーザ２からの報告を受信した後にユーザ１の測定結果と合わせ、例えば前記実施例における前記のキャリア選択／配置ルールに従って、ユーザ２とキャリアアグリゲーションを行うことに適するキャリア（一つのプライマリキャリア及び一つ又は複数のセカンダリキャリアを含む）を確定して結果をユーザ２に通知する。ユーザ２は、受信されたユーザ１から送信されたキャリア情報、及び同期情報などに基づいて、約束されたタイミングと周波数においてキャリアアグリゲーション通信を行う。ユーザ１と他のユーザがキャリアアグリゲーション操作を同様に実行することができ、ここでは詳しく説明しない。
【００９０】
（第二例示）
当該例示には、キャリアアグリゲーション通信におけるプライマリキャリア／セカンダリキャリアの変換メカニズムが示された。図１９に示されたように、ユーザ１とユーザ２がキャリアアグリゲーション通信を実行している。なお、ＣＣ０はプライマリキャリア、ＣＣ１とＣＣ２はアグリゲーションされて通信を行うセカンダリキャリアである。ＣＣ３とＣＣ４は、キャリアアグリゲーション通信に参加されていない他のキャリアである。ユーザの移動又は通信条件の変更などの要因により、ユーザの間にキャリアアグリゲーションに用いられるキャリアが調整される可能性がある。
【００９１】
例えば、前記のように、ユーザは通信負荷に対して周期的に評価する。あるタイミングでユーザにより通信負荷が低いと判定されると、ユーザは一つのセカンダリキャリアＣＣ２をディアクテイブするように判定することにより、周波数スペクトルの利用率を向上することができる。なお、当該ユーザは、策略ネットワークノードのユーザとして選択可能であり、例えばユーザ１であると仮定する。ユーザ１は、他のユーザであるユーザ２にディアクテイブされる、キャリア周波数、同期情報などを含むキャリアＣＣ２の基本情報を通知する。ユーザ２は、当該情報ディアクテイブキャリアＣＣ２に基づいて、通信品質を確保する前提で周波数スペクトルリソースの無駄を低減する。
【００９２】
また、ユーザは可用キャリアを周期的に測定し（例えば前述の方式により）、且つ策略ユーザであるユーザ１により測定されたキャリアがアグリゲーションに適するか否かを判定し、これに基づいてＳＣＣとして配置されるか否かを決定する。ユーザ１によりＣＣ２の条件がＳＣＣとして不適になくなり、同時にＣＣ３がＳＣＣとしてより適当であると判断されると、ユーザ１は、ＣＣ２のセカンダリキャリアの配置を削除し、ＣＣ３をセカンダリキャリアとして配置するように判定する。
【００９３】
ユーザは、プライマリキャリアＣＣ０を周期的に測定しても良い（例えば前述の方式により）。あるタイミングでユーザ１により現在のプライマリキャリアＣＣ０がプライマリキャリアとしての通信要求を満たさなくなり、同時にキャリアＣＣ４がプライマリキャリアとしての条件を満たし得ると判断されると、ユーザ１は、プライマリキャリアの切り替えを行うと判定し、他のユーザであるユーザ２に関連のプライマリキャリアの切り替え情報を通知することにより、キャリアアグリゲーション通信の品質を確保する。
【００９４】
（第三例示）
当該例示は、ユーザ自律選択モードにおけるプライマリキャリアの非対称配置の状態を示した。ユーザ自律選択モードにおいて、通信双方の位置する通信環境及び条件の違いを考慮すれば、キャリアアグリゲーションのプライマリキャリアの選択は非対称になる可能性がある。前記のように、プライマリキャリア選択を影響する要因にはユーザの基本情報が含まれる。理解すべきなのは、特に異なるユーザの位置するリソースプールが異なる場合に、通信の双方をそれぞれ受信側／送信側とする時に異なるプライマリキャリアが配置される可能性がある。
【００９５】
ユーザは、ユーザ基本情報を共有する場合に、相手のユーザと同じリソースプールを使用可能であるか否かをそれぞれ独立に判定することができる。例えば、ユーザ１の送信リソースプールがユーザ２による受信のためのリソース使用要求を満たすか否かを判定する。ユーザ１の受信リソースプールがユーザ２による送信のためのリソース使用要求を満たすか否かを判定する。前記の条件が何れも満たされると、統一されたリソースプールを使用することを考慮し、更に対称のプライマリキャリアを配置することができ、さもなければ、非対称であるプライマリキャリアを考慮することができる。通信の双方はそれぞれ判定を行い、判定結果をプライマリキャリアの選択の参考根拠の一つとする。
【００９６】
（第四例示）
当該例示において、少なくとも一部の可用コンポーネントキャリアはアンライセンスバンドに位置し、測定ユニット１０３はアンライセンスバンドにおけるスペクトルセンシングにより当該少なくとも一部の可用コンポーネントキャリアを測定することができる。
【００９７】
未来のキャリアアグリゲーション実施において、アンライセンスバンドをセカンダリキャリアとして利用してアグリゲーションを行ってより広い通信バンド幅を得ることが不可避である。アンライセンスバンド通信は、パワーが小さく、カバーエリアが小さい特徴を有するため、当該バンドはＳｉｄｅｌｉｎｋシナリオにおけるユーザの間の近距離のキャリアアグリゲーション、特にユーザ自律選択モードにおけるキャリアアグリゲーションに適する。例えば、ライセンスバンドにおけるプライマリキャリアを制御キャリアとする一方、アンライセンスバンドのセカンダリキャリアをアグリゲーションキャリアとして付加の無線リソースを提供する。
【００９８】
例えば、ユーザがＬＴＥ−Ａシナリオにおけるキャリアアグリゲーション方式に従ってプライマリキャリアを配置し、基地局又はユーザがアンライセンスバンドにおいてセンシングを行い、ＲＳＲＰなどの信号強度パラメータによりアンライセンスバンドの使用状態（即ち、通信品質の指標）を知る。基地局又はユーザは、アンライセンスバンドの配置規格に基づいて、例えばＲＳＲＰがより小さいアンライセンスバンドをＳＣＣとして優先に配置する。基地局又はユーザは、通信中のキャリアにおける負荷状態に基づいてＳＣＣのアクテイブイベントをトリガするか否かを判定することにより、負荷がトリガ条件を満たしている場合にキャリアアグリゲーションを行う。
【００９９】
理解すべきなのは、アンライセンスバンドにおいて行われるキャリアアグリゲーションが従来のＬＴＥ−Ａにおいて行われるキャリアアグリゲーションと矛盾しなく、同一のプライマリキャリアにライセンスバンドにおけるキャリア及びアンライセンスバンドにおけるキャリアを同時にアグリゲーションすることができる。具体的なキャリアアグリゲーション方式は、実際の通信状態とキャリア品質に基づいて決定することができる。
【０１００】
また、キャリアアクテイブを行うことによりキャリアアグリゲーションを実施する過程において、ライセンスバンドにおけるキャリアとアンライセンスバンドにおけるキャリアのトリガの閾値が異なる可能性がある。これは、アンライセンスバンドにおける可用バンド幅が大きく、チャンネル品質などがＬＴＥ−Ａシナリオにおいてアグリゲーションされたキャリアと差があるからである。従って、セカンダリキャリアを選択してアクテイブを行う場合に、二種類のバンドにおけるセカンダリキャリアを十分に比較し、実際の必要に応じてアグリゲーションに用いられるセカンダリキャリアを選択すべきである。
【０１０１】
（第五例示）
当該例示において、キャリアアグリゲーションに用いられるプライマリキャリア及び／又はセカンダリキャリアの少なくとも一部は、ミリ波で伝送することができる。通信技術の発展及び周波数スペクトルリソースのニーズの増加に伴い、周波数スペクトルリソースを十分に利用するために、未来にミリ波の技術を使用してより高いバンドにおいて無線通信を行う可能性がある。ミリ波の技術は、５Ｇ通信における重要技術になる。前記のように、ｓｉｄｅｌｉｎｋのキャリアアグリゲーションにおいて、ミリ波のバンドにおけるコンポーネントキャリアをプライマリキャリアとして採用しても良く、ミリ波のバンドにおけるコンポーネントキャリアをセカンダリキャリア又はセカンダリキャリアの一部として採用しても良い。従って、通常の条件における電磁波の伝送とミリ波の伝送は、共存、干渉、変復調、抑制などの状況が存在する可能性がある。
【０１０２】
このような場合に、基地局又はユーザは、二つのバンドにおけるメッセージを受信し、例えば波長の異なるキャリアに対して復調して共存させ、及びメッセージの共同伝送をさせることにより、より広い通信バンド幅を取得することができる。注意すべきなのは、キャリアアグリゲーション過程において、キャリア毎における測定、配置などの行為は全て独立に完成されるため、波長の異なる電磁波を使うユーザにとって、それらの共同操作を考慮する必要がなく、その結果を互換性の良い表現形式に復調することだけ考慮することにより、基地局又はユーザにキャリアアグリゲーションの関連状況を全面に知らせることを可能にすれば良い。
【０１０３】
また、ミリ波をキャリアアグリゲーションのセカンダリキャリアとして使用する場合に、その配置、アクテイブ、ディアクテイブなどの操作の細部は、ＬＴＥ−Ａシナリオにおけるキャリアアグリゲーションと違いがあるため、ミリ波の特徴について対応する判定閾値を指定する必要がある。
【０１０４】
＜第六実施例＞
前記の実施方式で無線通信に用いられる電子デバイスを説明した過程において、明らかに幾つかの処理又は方法を開示した。以下に、前述で既に説明された幾つかの細部を重複しないようにこれらの方法の概要を提供する。注意すべきなのは、これらの方法は、無線通信に用いられる電子デバイスを説明した過程において開示されたが、必ずしも説明されたそれらの部品を採用し、或いはそれらの部品により実行されない。例えば、無線通信に用いられる電子デバイスの実施方式は、一部又は完全にハードウェア及び／又はファームウェアにより実現可能である。以下で議論される無線通信に用いられる方法は、完全にコンピュータに実行可能なプログラムにより実現されても良いが、無線通信に用いられる電子デバイスのハードウェア及び／又はファームウェアを採用しても良い。
【０１０５】
図２０は本願の一実施例による無線通信に用いられる方法のフローチャートを示した。当該方法は、サイドリンクにおける可用コンポーネントキャリアの関連パラメータが所定の条件を満たしているか否かを判断し（Ｓ１２）、当該関連パラメータが所定の条件を満たしている場合に、可用コンポーネントキャリアをサイドリンクにおけるキャリアアグリゲーションに用いられるセカンダリキャリアとして配置する（Ｓ１３）ことを含む。
【０１０６】
図２０における破線ボックスに示されたように、前記方法は更に、それぞれの可用コンポーネントキャリアの関連パラメータに基づいて前記サイドリンクにおけるキャリアアグリゲーションのプライマリキャリアを確定するステップＳ１１を含んでも良い。例えば、幾つかの場合に、可用コンポーネントキャリアの測定結果に基づいて第一ネットワークノードと第二ネットワークノードのそれぞれについて異なるプライマリキャリアを確定することができる。
【０１０７】
なお、可用コンポーネントキャリアの関連パラメータは、対応する可用コンポーネントキャリアの通信品質を示すパラメータを含む。対応する可用コンポーネントキャリアの通信品質を示すパラメータは、例えば対応するコンポーネントキャリアにおける信号強度情報を含む。所定の条件は、対応するコンポーネントキャリアにおける信号強度が所定の閾値よりも低いことに設置可能である。
【０１０８】
例えば、可用コンポーネントキャリアの関連パラメータは、更に、対応する可用コンポーネントキャリアの安定性を示すパラメータを含む。対応する可用コンポーネントキャリアの安定性を示すパラメータは、対応する可用コンポーネントキャリアが要求に応じる通信品質でキャリアアグリゲーション通信を実行可能な推定時間を含む。推定時間は、ネットワークノードの移動速度、地理位置、送受信リンク占用率、可用コンポーネントキャリアのキャリアカバーエリア、キャリア信号強度のうちの少なくとも一つに基づいて確定することができる。
【０１０９】
一つの例示において、前記方法はサイドリンクの一方側の第一ネットワークノードにより実行され、第一ネットワークノードはサイドリンクの他方側の第二ネットワークノードと連携して前記キャリアアグリゲーションを実行する。
【０１１０】
第一ネットワークノードと第二ネットワークノードは、対応するネットワークノードの基本情報を共有し、少なくとも当該基本情報に基づいてキャリアアグリゲーションを実行するか否かを確定する。なお、基本情報は、ネットワークノードのタイプ、ネットワークノードの移動速度、ネットワークノードの地理位置、ネットワークノードの能力、ネットワークノードの送受信リンクの状態、送受信リンクの占用状態のうちの一つ又は複数を含む。
【０１１１】
一つの例示において、共有されたネットワークノードの基本情報に基づいて、第一ネットワークノードによりキャリアアグリゲーションにおける関連の策略操作を行い、第二ネットワークノードと連携して一致に達するように確定する。
【０１１２】
共有されたネットワークノードの基本情報に基づいて第一ネットワークノードと第二ネットワークノードが実行する可用コンポーネントキャリアに対する測定操作を配置し、対応するネットワークノードに測定された可用コンポーネントキャリアの関連パラメータを取得することができる。
【０１１３】
第一ネットワークノードと第二ネットワークノードは、基本情報に基づいて確定された一定比例の可用コンポーネントキャリアを周期的に測定して可用コンポーネントキャリアの関連パラメータを取得し、第二ネットワークノードは、その測定結果を第一ネットワークノードに提供する。例示的に、第二ネットワークノードの測定結果は、所定のイベントのトリガ条件が満たされている場合に第一ネットワークノードに提供されても良い。
【０１１４】
第一ネットワークノードと第二ネットワークノードは、更に、各自の負荷を周期的に測定し、第一ネットワークノードと第二ネットワークノードの負荷測定結果に基づいてセカンダリキャリアのアクテイブ又はディアクテイブを実行する。
【０１１５】
例えば、第一ネットワークノードと第二ネットワークノードの負荷が何れも所定の閾値を超えたこと、第一ネットワークノードと第二ネットワークノードのうちの特定のネットワークノードの負荷が所定の閾値を超えたこと、第一ネットワークノードと第二ネットワークノードのうちの何れか一つの負荷が所定の閾値を超えたこと、という条件のうちの何れか一つを満たしている場合にセカンダリキャリアのアクテイブを実行する。
【０１１６】
第一ネットワークノードは、更に、セカンダリキャリアのアクテイブ又はディアクテイブについての指示情報を生成して第二ネットワークノードに通知する。
【０１１７】
一つの例示において、第一ネットワークノードは、キャリアアグリゲーションに用いられるプライマリキャリアとセカンダリキャリアについての関連情報を生成して他のネットワークノードへブロードキャストする。当該関連情報は、システム情報ブロックで物理サイドリンクブロードキャストチャンネルにおいてブロードキャストすることができる。関連情報は、プライマリキャリアとセカンダリキャリアのキャリア周波数、キャリアシーケンス番号、同期情報、リソースプールの割り当て、優先順位のうちの一つ又は複数を含んでも良い。
【０１１８】
それに応じて、他のネットワークノードは、第一ネットワークノードからのキャリアアグリゲーションに用いられるプライマリキャリアとセカンダリキャリアについてのブロードキャスト情報に基づいて、キャリアアグリゲーションを行うか否かを確定し、或いはキャリアアグリゲーションの具体的な方式を確定することができる。
【０１１９】
他の例示において、第一ネットワークノードと第二ネットワークノードは、可用コンポーネントキャリアの関連パラメータを測定し、測定結果をネットワークコントローラノードへ提供し、及びネットワークコントローラノードから測定結果に基づいて選択されたプライマリキャリアの情報を取得することができる。また、第一ネットワークノードと第二ネットワークノードは更に、ネットワークコントローラノードへ各自のネットワークノードの基本情報と負荷測定結果を提供することにより、ネットワークコントローラノードにキャリアアグリゲーションを行うか否かを判断させることができる。
【０１２０】
第一ネットワークノードと第二ネットワークノードは、更に、それぞれ可用コンポーネントキャリアの関連パラメータを周期的に測定してステップＳ１２の判断とステップＳ１３のセカンダリキャリアの配置を行うことができる。
【０１２１】
一つの例示において、前記プライマリキャリアのためのリソースプールと前記セカンダリキャリアのためのリソースプールは互いに同じように配置される。勿論、互いに異なるように配置されても良い。
【０１２２】
衝突を避けるために、プライマリキャリアとして選択されたコンポーネントキャリアとセカンダリキャリアとして選択されたコンポーネントキャリアに標識することもできる。
【０１２３】
他の例示において、第一ネットワークノードと第二ネットワークノードがネットワークコントローラノードのカバーエリア外からネットワークコントローラノードのカバーエリア内に移動されたか否かを判断し、肯定の場合に、第一ネットワークノードと第二ネットワークノードによりキャリアアグリゲーションにおける関連の策略操作をネットワークコントローラノードに移転するか否かを協議し、否定の場合に、現在のキャリアアグリゲーション操作を継続しても良い。例えば、キャリアアグリゲーションにおける関連の策略操作をネットワークコントローラノードに移転しようとする場合に、第一ネットワークノードと第二ネットワークノードの基本情報、キャリア使用状態情報及び現在のキャリアアグリゲーションの状態情報をネットワークコントローラノードに提供しても良い。
【０１２４】
他の例示において、第一ネットワークノードと第二ネットワークノードがネットワークコントローラノードのカバーエリア内からネットワークコントローラノードのカバーエリア外に移動されたか否かを判断し、肯定の場合に、第二ネットワークノードと連携してキャリアアグリゲーションを実行しても良い。
【０１２５】
なお、少なくとも一部の可用コンポーネントキャリアはアンライセンスバンドに位置しても良く、例えばアンライセンスバンドにおけるスペクトルセンシングにより当該少なくとも一部の可用コンポーネントキャリアを測定することができる。キャリアアグリゲーションに用いられるプライマリキャリア及び／又はセカンダリキャリアの少なくとも一部は、ミリ波で伝送することができる。
【０１２６】
注意すべきなのは、前記の各方法は、組合わせて使用されても良く、独自に使用されてもよい。その細部は、第一〜第五実施例に既に詳しく説明されたため、ここでは詳しく説明しない。
【０１２７】
本開示内容の技術は、各種の製品に適用可能である。例えば、電子デバイス１００は、端末デバイスとして実現可能である。端末デバイスは、モバイル端末（例えばスマートフォン、タブレットパソコン（ＰＣ）、ノードＰＣ、携帯ゲーム端末、携帯／ドングル型モバイルルーター及びデジタル撮影装置）又は車載端末（例えばカーナビゲーションデバイス）として実現可能である。端末デバイスは更に、マシンツーマシン（Ｍ２Ｍ）通信を実行する端末（マシンタイプ通信（ＭＴＣ）端末）として実現されても良い。また、端末デバイスは、前記端末に実装される各端末における無線通信モジュール（例えばシングルチップを含む集積回路モジュール）であっても良い。
【０１２８】
［端末デバイスについての応用例］
（第一応用例）
図２１は本開示の技術を適用可能なスマートフォン９００の概略配置の一例を示すブロック図である。スマートフォン９００はプロセッサ９０１、メモリ９０２、記憶装置９０３、外部接続インタフェース９０４、撮影装置９０６、センサー９０７、マイク９０８、入力装置９０９、表示装置９１０、スピーカ９１１、無線通信インタフェース９１２、１つ又は複数のアンテナスイッチ９１５、１つ又は複数のアンテナ９１６、バス９１７、バッテリー９１８及び補助コントローラ９１９を含む。
【０１２９】
プロセッサ９０１は例えばＣＰＵ又はシステムオンチップ（ＳｏＣ）であり、スマートフォン９００のアプリケーション層と別の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インタフェース９０４は外部装置（例えばメモリカードとユニバーサルシリアルバス（ＵＳＢ）装置）をスマートフォン９００に接続するためのインタフェースである。
【０１３０】
撮影装置９０６はイメージセンサー（例えば電荷結合デバイス（ＣＣＤ）と相補型金属酸化物半導体（ＣＭＯＳ））を含み、画像を生成しキャプチャする。センサー９０７は例えば測定センサー、ジャイロセンサー、地磁気センサー及び加速度センサーのような１組みのセンサーを含んでもよい。マイク９０８は、スマートフォン９００に入力された音をオーディオ信号に変換する。入力装置９０９は例えば表示装置９１０のスクリーンにおけるタッチを検出するように配置されるタッチセンサー、キーパッド、キーボード、ボタン又はスイッチを含み、ユーザーから入力された動作又は情報を受信する。表示装置９１０はスクリーン（例えば液晶ディスプレイ（ＬＣＤ）と有機発光ダイオード（ＯＬＥＤ）ディスプレイ）を含み、スマートフォン９００の出力画像を表示する。スピーカ９１１はスマートフォン９００から出力したオーディオ信号を音に変換する。
【０１３１】
無線通信インタフェース９１２は任意のセルラー通信方式（例えば、ＬＴＥとＬＴＥ−先進）をサポートし、無線通信を実行する。無線通信インタフェース９１２は通常、例えばＢＢプロセッサ９１３とＲＦ回路９１４を含むことができる。ＢＢプロセッサ９１３は例えば、符号化／復号化、変調／復調、多重化／多重化解除を実行すると共に、無線通信のための様々なタイプの信号処理を実行することができる。同時に、ＲＦ回路９１４は例えばミキサ、フィルタ、及び増幅器を含み、アンテナ９１６を介して無線信号を送受信することができる。無線通信インタフェース９１２はその上にＢＢプロセッサ９１３とＲＦ回路９１４が集積化される１つのチップモジュールであってもよい。図２１に示すように、無線通信インタフェース９１２は複数のＢＢプロセッサ９１３と複数のＲＦ回路９１４を含んでもよい。図２１に、無線通信インタフェース９１２に複数のＢＢプロセッサ９１３と複数のＲＦ回路９１４が含まれる例を示したが、無線通信インタフェース９１２は単一のＢＢプロセッサ９１３又は単一のＲＦ回路９１４を含んでもよい。
【０１３２】
なお、セルラー通信方式の以外、無線通信インタフェース９１２は、例えば短距離無線通信方式、近接通信方式や無線ローカルネットワーク（ＬＡＮ）方式などの別のタイプの無線通信方式をサポートすることができる。この場合、無線通信インタフェース９１２は各種の無線通信方式に対するＢＢプロセッサ９１３とＲＦ回路９１４を含んでもよい。
【０１３３】
アンテナスイッチ９１５のそれぞれは無線通信インタフェース９１２に含まれる複数の回路（例えば異なる無線通信方式に使用される回路）間でアンテナ９１６の接続先を切り替える。
【０１３４】
アンテナ９１６のそれぞれは単一又は複数のアンテナ素子（例えばＭＩＭＯアンテナに含まれる複数のアンテナ素子）を含み、無線通信インタフェース９１２の無線信号の送受信に使用される。図２１に示すように、スマートフォン９００は複数のアンテナ９１６を含んでもよい。図２１に、スマートフォン９００に複数のアンテナ９１６が含まれる例を示したが、スマートフォン９００は単一のアンテナ９１６を含んでもよい。
【０１３５】
なお、スマートフォン９００は各種の無線通信方式に対するアンテナ９１６を含んでもよい。この場合に、アンテナスイッチ９１５はスマートフォン９００の配置から省略されてもよい。
【０１３６】
バス９１７はプロセッサ９０１、メモリ９０２、記憶装置９０３、外部接続インタフェース９０４、撮像装置９０６、センサー９０７、マイク９０８、入力装置９０９、表示装置９１０、スピーカ９１１、無線通信インタフェース９１２及び補助コントローラ９１９を互いに接続する。バッテリー９１８は給電線によって図２１に示すスマートフォン９００の各ブロックに電力を提供し、給電線は図面において部分的に点線として示される。補助コントローラ９１９は例えばスリープモードでスマートフォン９００の最低限必要な機能を動作させる。
【０１３７】
図２１に示されたスマートフォン９００において、第一〜第五実施例に説明された送受信ユニット１０４は無線通信インターフェース９１２により実現可能である。機能の少なくとも一部は、プロセッサ９０１又は補助コントローラ９１９により実現されても良い。例えば、プロセッサ９０１又は補助コントローラ９１９は、判断ユニット１０１と配置ユニット１０２の機能を実行することによりＰＣＣの配置及びＳＣＣの配置、アクテイブ又はディアクテイブを行うことができ、測定ユニット１０３の機能を実行することにより可用コンポーネントキャリアの通信品質又は安定性の測定及び負荷の測定を行うことができる。
【０１３８】
（第二応用例）
図２２は本開示の技術を適用可能なカーナビゲーション装置９２０の概略配置の一例を示すブロック図である。カーナビゲーション装置９２０はプロセッサ９２１、メモリ９２２、全球位置決めシステム（ＧＰＳ）モジュール９２４、センサー９２５、データインタフェース９２６、コンテンツプレーヤー９２７、記憶媒体インタフェース９２８、入力装置９２９、表示装置９３０、スピーカ９３１、無線通信インタフェース９３３、１つ又は複数のアンテナスイッチ９３６、１つ又は複数のアンテナ９３７及びバッテリー９３８を含む。
【０１３９】
プロセッサ９２１は例えばＣＰＵ又はＳｏＣであり、カーナビゲーション装置９２０のナビゲーション機能と別の機能を制御することができる。メモリ９２２はＲＡＭとＲＯＭを含み、データとプロセッサ９２１によって実行されるプログラムが記憶される。
【０１４０】
ＧＰＳモジュール９２４はＧＰＳ衛星から受信したＧＰＳ信号を使用してカーナビゲーション装置９２０の位置（例えば、緯度、経度、高度）を測定する。センサー９２５は例えばジャイロセンサー、地磁気センサー及び気圧センサーのような１組みのセンサーを含んでもよい。データインタフェース９２６は図示しない端末を介して例えば車載ネットワーク９４１に接続され、車両によって生成されたデータ（例えば、車速データ）を取得する。
【０１４１】
コンテンツプレーヤー９２７は記憶媒介（例えば、ＣＤとＤＶＤ）に記憶されたコンテンツを再生し、当該記憶媒介は記憶媒介インタフェース９２８に挿入される。入力装置９２９は例えば表示装置９３０のスクリーンでのタッチを検出するように配置されるタッチセンサー、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１４２】
無線通信インタフェース９３３は任意のセルラー通信方式（例えば、ＬＴＥとＬＴＥ−先進）をサポートし、無線通信を実行することができる。無線通信インタフェース９３３は通常、例えばＢＢプロセッサ９３４とＲＦ回路９３５を含むことができる。ＢＢプロセッサ９３４は、例えば符号化／復号化、変調／復調、及び多重化／多重化解除を実行すると共に、無線通信に使用される様々なタイプの信号処理を実行することができる。同時に、ＲＦ回路９３５は例えばミキサ、フィルタ、増幅器を含み、アンテナ９３７を介して無線信号を送受信することができる。無線通信インタフェース９３３はその上にＢＢプロセッサ９３４とＲＦ回路９３５が集積化される１つのチップモジュールであってもよい。図２２に示すように、無線通信インタフェース９３３は複数のＢＢプロセッサ９３４と複数のＲＦ回路９３５を含んでもよい。図２２に、無線通信インタフェース９３３に複数のＢＢプロセッサ９３４と複数のＲＦ回路９３５が含まれる例を示したが、無線通信インタフェース９３３は単一のＢＢプロセッサ９３４又は単一のＲＦ回路９３５を含んでもよい。
【０１４３】
なお、セルラー通信方式の以外、無線通信インタフェース９３３は、例えば短距離無線通信方式、近接通信方式、及び無線ＬＡＮ方式のような別のタイプの無線通信方式をサポートすることができる。この場合、各種の無線通信方式ごとに、無線通信インタフェース９３３はＢＢプロセッサ９３４とＲＦ回路９３５を含んでもよい。
【０１４４】
アンテナスイッチ９３６のそれぞれは無線通信インタフェース９３３に含まれる複数の回路（例えば、異なる無線通信方式に使用される回路）間でアンテナ９３７の接続先を切り替える。
【０１４５】
アンテナ９３７のそれぞれは単一又は複数のアンテナ素子（例えばＭＩＭＯアンテナに含まれる複数のアンテナ素子）を含み、無線通信インタフェース９３３の無線信号の送受信に使用される。図２２に示すように、カーナビゲーション装置９２０は複数のアンテナ９３７を含んでもよい。図２２に、カーナビゲーション装置９２０には複数のアンテナ９３７が含まれる例を示したが、カーナビゲーション装置９２０は単一のアンテナ９３７を含んでもよい。
【０１４６】
なお、カーナビゲーション装置９２０は、各種の無線通信方式に対するアンテナ９３７を含んでもよい。この場合、アンテナスイッチ９３６はカーナビゲーション装置９２０の配置から省略されてもよい。
【０１４７】
バッテリー９３８は給電線によって図２２に示すカーナビゲーション装置９２０の各ブロックに電力を提供し、給電線は図面において部分的に点線として示される。バッテリー９３８は車両から提供された電力を蓄積する。
【０１４８】
図２２に示されたカーナビゲーション装置９２０において、第一〜第五実施例に説明された送受信ユニット１０４は無線通信インターフェース９３３により実現可能である。機能の少なくとも一部は、プロセッサ９２１により実現されても良い。例えば、プロセッサ９２１は、判断ユニット１０１と配置ユニット１０２の機能を実行することによりＰＣＣの配置及びＳＣＣの配置、アクテイブ又はディアクテイブを行うことができ、測定ユニット１０３の機能を実行することにより可用コンポーネントキャリアの通信品質又は安定性の測定及び負荷の測定を行うことができる。
【０１４９】
本開示の技術はカーナビゲーション装置９２０、車載ネットワーク９４１及び車両モジュール９４２のうち１つ又は複数のブロックが含まれた車載システム（又は車両）９４０として実現されてもよい。車両モジュール９４２は車両データ（例えば車速、エンジン速度、故障情報）を生成し、生成されたデータを車載ネットワーク９４１に出力する。
【０１５０】
ここまで具体的な実施例を参照して本発明の基本原理を説明した。しかし、注意すべきなのは、本発明の方法及び装置の全て又は任意のステップ又は部品が、あらゆるコンピューティングデバイス（プロセッサ、記憶媒体などを含む）又はコンピューティングデバイスのネットワークにおいてハードウェア、ファームウェア、ソフトウェア又はそれらの組合わせで実現可能であることは、当業者にとって理解すべきである。これは、当業者が本発明の説明を閲覧した場合にその基本回路設計知識又は基本プログラミングテクニックにより実現可能である。
【０１５１】
本発明は更に、機器に読取可能なコマンドコードが記憶されるプログラム製品を提供した。前記コマンドコードが機器に読み取って実行されると、前記本発明の実施例による方法を実行可能である。
【０１５２】
それに応じて、前記機器に読取可能なコマンドコードが記憶されるプログラム製品をロードする記憶媒体も本発明の開示に含まれる。前記記憶媒体は、フロッピーディスク、光ディスク、光磁気ディスク、メモリカード、メモリスティックなどを含むが、それらに限定されない。
【０１５３】
ソフトウェア又はファームウェアによって本願発明を実現する場合に、記憶媒体又はネットワークから専用のハードウェア構成を有するコンピュータ（例えば、図２３に示す汎用コンピュータ２３００）へ当該ソフトウェアを構成するプログラムをインストールして、当該コンピュータは、各種のプログラムがインストールされる場合に、各種の機能などを実行することができる。
【０１５４】
図２３では、中央処理ユニット（即ち、ＣＰＵ）２３０１は、読み取り専用メモリ（ＲＯＭ）２３０２に記憶されたプログラム又は記憶部分２３０８からランダムアクセスメモリ（ＲＡＭ）２３０３にロードされたプログラムに従って各種の処理を実行する。ＲＡＭ２３０３において、必要に応じて、ＣＰＵ２３０１が各種の処理などを実行する際に必要なデータも記憶される。ＣＰＵ２３０１、ＲＯＭ２３０２、及びＲＡＭ２３０３はバス２３０４を介して互いに接続される。入力／出力インタフェース２３０５もバス２３０４に接続される。
【０１５５】
入力部分２３０６（キーボード、マウスなどを含む）、出力部分２３０７（例えば陰極線管（ＣＲＴ）、液晶ディスプレイ（ＬＣＤ）などのディスプレイ、スピーカなどを含む）、記憶部分２３０８（ハードウェアなどを含む）、通信部分２３０９（例えばＬＡＮカードやモデムなどのネットワークインタフェースカードを含む）が入力／出力インタフェース２３０５に接続される。通信部分２３０９は例えばインターネットなどのネットワークを介して通信処理を実行する。必要に応じて、ドライバー２３１０は入力／出力インタフェース２３０５に接続されてもよい。例えば磁気ディスク、光ディスク、光磁気ディスク、半導体メモリなどのリムーバブルメディア２３１１は、その中から読み出されるコンピュータプログラムが必要に応じて記憶部２３０８にインストールされるように、必要に応じてドライバー２３１０に装着される。
【０１５６】
ソフトウェアによって前記一連の処理を実現する場合に、例えばインターネットであるネットワーク又は例えばリムーバブルメディア２３１１である記憶媒体から、ソフトウェアを構成するプログラムをインストールする。
【０１５７】
当業者が理解すべきことは、このような記憶媒体が図２３に示すような、その中にプログラムが記憶され、装置とは別途配布してユーザーにプログラムを提供するリムーバブルメディア２３１１に限定されない。リムーバブルメディア２３１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ２３０２、記憶部分２３０８に含まれたハードウェアなどであってもよく、その中にプログラムが記憶され、これらが含まれた装置と一緒にユーザーに配布する。
【０１５８】
更に指摘すべきなのは、本発明の装置、方法及びシステムにおいて、各部品又は各ステップは分割され、及び／又は再統合されても良い。これらの分割及び／又は再統合は、本発明の同等の方案と見なすべきである。そして、前記一連の処理を実行するステップは、説明された順序に従って時間順で自然に実行することができるが、必ずしも時間順で実行する必要がない。幾つかのステップは、並行に、或いは独立に実行可能である。
【０１５９】
最後に説明すべきなのは、用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「．．．を一つ含む」という文によって限定される要素は、前記要素を含むプロセス、方法、物品又はデバイスに他の同じ要素がさらに含まれることを排除しない。
【０１６０】
以上で図面を合わせて本発明の実施例を詳しく説明したが、以上で説明された実施方式が本発明を説明するために過ぎず、本発明の制限にならないと理解すべきである。当業者は、本発明の実質及び範囲から逸脱しない限り、前記実施方式に対して各種の補正及び変更を行うことができる。従って、本発明の範囲は、添付された請求項及びその同等の意味だけで制限される。
【図１】
2020530226.tif 000003
【図２】
2020530226.tif 000004
【図３】
2020530226.tif 000005
【図４】
2020530226.tif 000006
【図５】
2020530226.tif 000007
【図６】
2020530226.tif 000008
【図７】
2020530226.tif 000009
【図８】
2020530226.tif 000010
【図９】
2020530226.tif 000011
【図１０】
2020530226.tif 000012
【図１１】
2020530226.tif 000013
【図１２】
2020530226.tif 000014
【図１３】
2020530226.tif 000015
【図１４】
2020530226.tif 000016
【図１５】
2020530226.tif 000017
【図１６】
2020530226.tif 000018
【図１７】
2020530226.tif 000019
【図１８】
2020530226.tif 000020
【図１９】
2020530226.tif 000021
【図２０】
2020530226.tif 000022
【図２１】
2020530226.tif 000023
【図２２】
2020530226.tif 000024
【図２３】
2020530226.tif 000025
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
無線通信に用いられる電子デバイスであって、
サイドリンクにおける可用コンポーネントキャリアの関連パラメータが所定の条件を満たすか否かを判断し、
前記関連パラメータが前記所定の条件を満たしている場合に、前記可用コンポーネントキャリアをサイドリンクにおけるキャリアアグリゲーションに用いられるセカンダリキャリアとして配置する
ように配置される処理回路を備える電子デバイス。
【請求項２】
前記処理回路は、更に、可用コンポーネントキャリアのそれぞれの関連パラメータに基づいて前記サイドリンクにおけるキャリアアグリゲーションに用いられるプライマリキャリアを確定するように配置される、請求項１に記載の電子デバイス。
【請求項３】
前記可用コンポーネントキャリアの関連パラメータは、対応可用コンポーネントキャリアの通信品質を示すパラメータを含む、請求項１に記載の電子デバイス。
【請求項４】
対応可用コンポーネントキャリアの通信品質を示す前記パラメータは、対応コンポーネントキャリアにおける信号強度の情報を含み、
前記所定の条件は、前記対応コンポーネントキャリアにおける信号強度が所定の閾値よりも低いことを含む、請求項３に記載の電子デバイス。
【請求項５】
前記可用コンポーネントキャリアの関連パラメータは、更に、対応可用コンポーネントキャリアの安定性を示すパラメータを含む、請求項３に記載の電子デバイス。
【請求項６】
対応可用コンポーネントキャリアの安定性を示すパラメータは、対応可用コンポーネントキャリアがニーズに応じる通信品質でキャリアアグリゲーション通信を実行可能な推定時間を含み、
前記推定時間は、前記電子デバイスに対応するネットワークノードの移動速度、地理位置、送受信リンク占用率、前記可用コンポーネントキャリアのキャリアカバーエリア、キャリア信号強度のうちの少なくとも一つに基いて確定される、請求項５に記載の電子デバイス。
【請求項７】
前記電子デバイスが前記サイドリンクの一方側の第一ネットワークノードに用いられ、前記処理回路は、前記サイドリンクの他方側の第二ネットワークノードと連携して前記キャリアアグリゲーションを実行するように配置され、
前記処理回路は、前記第一ネットワークノードと前記第二ネットワークノードとの間に対応ネットワークノードの基本情報を共有し、少なくとも前記基本情報に基づいて前記キャリアアグリゲーションを実行するか否かを確定するように配置されており、前記基本情報は、ネットワークノードのタイプ、ネットワークノードの移動速度、ネットワークノードの地理位置、ネットワークノードの能力、ネットワークノード送受信リンク状態、送受信リンク占用状態のうちの一つ又は複数を含み、
前記処理回路は、更に、共有されたネットワークノードの基本情報に基づいて前記第一ネットワークノードによるキャリアアグリゲーションにおける関連の策略操作を確定し、前記第二ネットワークノードと連携して一致に達するように配置される、請求項１に記載の電子デバイス。
【請求項８】
前記処理回路は、更に、共有されたネットワークノードの基本情報に基づいて前記第一ネットワークノードと前記第二ネットワークノードが実行する、可用コンポーネントキャリアに対する測定操作を配置し、対応ネットワークノードにより測定された可用コンポーネントキャリアの関連パラメータを取得するように配置される、請求項７に記載の電子デバイス。
【請求項９】
前記処理回路は、前記第一ネットワークノード及び前記第二ネットワークノードのそれぞれを、前記基本情報に基づいて確定された一定比例の可用コンポーネントキャリアに対して周期的な測定を行って前記可用コンポーネントキャリアの関連パラメータを取得するように指示し、前記第二ネットワークノードから測定結果を取得するように配置される、請求項８に記載の電子デバイス。
【請求項１０】
前記処理回路は、更に、前記第一ネットワークノードと前記第二ネットワークノードをそれぞれの負荷を周期的な測定を行うように指示し、前記第一ネットワークノードと前記第二ネットワークノードの負荷の測定結果に基づいてセカンダリキャリアのアクテイブ又はディアクテイブを実行するように配置され、
前記処理回路は、前記第一ネットワークノードと第二ネットワークノードの負荷が何れも所定の閾値を超え、前記第一ネットワークノードと第二ネットワークノードとのうち特定のネットワークノードの負荷が所定の閾値を超え、前記第一ネットワークノードと第二ネットワークノードの何れか一つの負荷が所定の閾値を超える条件のうちの何れか一つを満たす場合に、セカンダリキャリアのアクテイブを実行するように配置される、請求項７に記載の電子デバイス。
【請求項１１】
前記処理回路は、更に、セカンダリキャリアのアクテイブ又はディアクテイブについての指示情報を生成して前記第二ネットワークノードへ通知するように配置される、請求項１０に記載の電子デバイス。
【請求項１２】
前記処理回路は、更に、キャリアアグリゲーションに用いられるプライマリキャリアとセカンダリキャリアについての関連情報を生成して他のネットワークノードにブロードキャストするように配置され、または、
前記処理回路は、更に、他のネットワークノードからのキャリアアグリゲーションに用いられるプライマリキャリア及びセカンダリキャリアについてのブロードキャスト情報に基づいて、キャリアアグリゲーション又はキャリアアグリゲーションを行うか否かの具体的な方式を確定するように配置される、請求項１に記載の電子デバイス。
【請求項１３】
前記関連情報は、システム情報ブロックで物理サイドリンクのブロードキャストチャンネルにおいてブロードキャストされ、前記関連情報は、プライマリキャリアとセカンダリキャリアのキャリア周波数、キャリアシーケンス番号、同期情報、リソースプール配属、優先順位のうちの一つ又は複数を含む、請求項１２に記載の電子デバイス。
【請求項１４】
前記処理回路は、可用コンポーネントキャリアの関連パラメータを測定し、測定結果をネットワークコントローラノードに提供し、及び前記ネットワークコントローラノードから前記測定結果に基づいて選択されたプライマリキャリアの情報を取得するように配置される、請求項１に記載の電子デバイス。
【請求項１５】
前記処理回路は、更に、前記ネットワークコントローラノードが前記キャリアアグリゲーションを行うか否かを判断するように、前記ネットワークコントローラノードへネットワークノードの基本情報及び負荷測定結果を提供するように配置される、請求項１４に記載の電子デバイス。
【請求項１６】
前記処理回路は、更に、前記第一ネットワークノードと前記第二ネットワークノードがネットワークコントローラノードのカバーエリア内に移動したか否かを判断し、肯定の場合に、前記キャリアアグリゲーションにおける関連の策略操作を前記ネットワークコントローラノードへ移転するか否かについて前記第二ネットワークノードと協議し、否定の場合に現在のキャリアアグリゲーション操作を継続するように配置され、
前記処理回路は、前記キャリアアグリゲーションにおける関連の策略操作を前記ネットワークコントローラノードへ移転する場合に、前記第一ネットワークノードと前記第二ネットワークノードの基本情報とキャリア使用状況情報、及び現在のキャリアアグリゲーションの状態情報を前記ネットワークコントローラノードへ提供する、請求項７に記載の電子デバイス。
【請求項１７】
前記電子デバイスは、前記サイドリンクの一方側の第一ネットワークノードに用いられ、前記処理回路は、更に、前記第一ネットワークノードと前記サイドリンクの他方側の第二ネットワークノードがネットワークコントローラノードのカバーエリア外に移動したかを判断し、肯定の場合に、前記第二ネットワークノードと連携して前記キャリアアグリゲーションを実行するように配置される、請求項１４に記載の電子デバイス。
【請求項１８】
少なくとも一部の可用コンポーネントキャリアはアンライセンスバンドに位置し、前記処理回路は、アンライセンスバンドにおけるスペクトルセンシングにより前記少なくとも一部の可用コンポーネントキャリアを測定するように配置され、または、
前記キャリアアグリゲーションに用いられるプライマリキャリア及び／又はセカンダリキャリアの少なくとも一部は、ミリ波で伝送される、請求項１に記載の電子デバイス。
【請求項１９】
無線通信に用いられる方法であって、
サイドリンクにおける可用コンポーネントキャリアの関連パラメータが所定の条件を満たしているか否かを判断し、
前記関連パラメータが前記所定の条件を満たしている場合に、前記可用コンポーネントキャリアをサイドリンクにおけるキャリアアグリゲーションに用いられるセカンダリキャリアとして配置する、ことを含む方法。
【請求項２０】
コンピュータに実行可能なコマンドを含み、
前記コンピュータに実行可能なコマンドがプロセッサにより実行されると、請求項１９に記載の方法を実行させるコンピュータに読取可能な記憶媒体。
【国際調査報告】
2020530226.tif 000026
2020530226.tif 000027
2020530226.tif 000028
2020530226.tif 000029